(57)【要約】      （修正有）【課題】６並列回路を有する電機子巻線を提供する。【解決手段】７２個のスロットに納められる電機子巻線の各相は、２つの相帯に分割した６つの並列回路を有し、各並列回路は接続側コイルエンド及び反接続側コイルエンドでそれぞれ互いに直列接続される上コイル片15と下コイル片16の２つのコイル片からなり、一つの相帯中の上下コイル片の相対位置を極中心から順に数えた位置で表した場合に、当該第１及び第４の並列回路の上コイル片の位置が極中心から3，4，7，12番目の位置であり、下コイル片の位置が極中心から1，6，9，10番目の位置であり、当該第２及び第５の並列回路の上下コイル片の位置が極中心からに，5，8，11番目の位置であり、当該第３及び第６の並列回路の上コイル片の位置が極中心から1，6，9，10番目の位置であり、下コイル片の位置が極中心から3，4，7，12番目の位置となるように接続する。【選択図】図１
2010252438.tif 000002
【特許請求の範囲】
【請求項１】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上コイル片の位置が極中心から３，４，７，１２番目の位置であり、下コイル片の位置が極中心から１，６，９，１０番目の位置であり、当該第２及び第５の並列回路の上下コイル片の位置が極中心から２，５，８，１１番目の位置であり、当該第３及び第６の並列回路の上コイル片の位置が極中心から１，６，９，１０番目の位置であり、下コイル片の位置が極中心から３，４，７，１２番目の位置となるように接続することを特徴とする回転電機の電機子巻線。
【請求項２】
請求項１に記載の回転電機の電機子巻線において、
前記第１の相帯の上コイル片の極中心から数えた並列回路番号の配列が順に３，２，１，１，２，３，１，２，３，３，２，１であり、下コイル片の極中心から数えた並列回路番号の配列が順に１，２，３，３，２，１，３，２，１，１，２，３であり、第２の相帯の上コイル片の極中心から数えた並列回路番号の配列を順に６，５，４，４，５，６，４，５，６，６，５，４であり、下コイル片の極中心から数えた並列回路番号の配列を順に４，５，６，６，５，４，６，５，４，４，５，６となるように接続することを特徴とする回転電機の電機子巻線。
【請求項３】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から２，５，８，１２番目の位置であり、当該第２及び第５の並列回路の上下コイル片の位置が極中心から３，４，７，１１番目の位置であり、当該第３及び第６の並列回路の上下コイル片の位置が極中心から１，６，９，１０番目の位置となるように接続することを特徴とする回転電機の電機子巻線。
【請求項４】
請求項３に記載の回転電機の電機子巻線において、
巻線ピッチを２５／３６〜３１／３６の間の値にしたことを特徴とする回転電機の電機子巻線。
【請求項５】
請求項３に記載の回転電機の電機子巻線において、
前記第１の相帯の上下コイル片の極中心から数えた並列回路番号の配列が順に３，１，２，２，１，３，２，１，３，３，２，１であり、第２の相帯の上下コイル片の極中心から数えた並列回路番号の配列を順に６，４，５，５，４，６，５，４，６，６，５，４となるように接続することを特徴とする回転電機の電機子巻線。
【請求項６】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から２，５，１１，１２番目の位置であり、当該第２及び第５の並列回路の上下コイル片の位置が極中心から１，６，９，１０番目の位置であり、当該第３及び第６の並列回路の上下コイル片の位置が極中心から３，４，７，８番目の位置となるように接続することを特徴とする回転電機の電機子巻線。
【請求項７】
請求項６に記載の回転電機の電機子巻線において、
前記第１の相帯の上下コイル片の極中心から数えた並列回路番号の配列が順に２，１，３，３，１，２，３，３，２，２，１，１であり、第２の相帯の上下コイル片の極中心から数えた並列回路番号の配列を順に５，４，６，６，４，５，６，６，５，５，４，４となるように接続することを特徴とする回転電機の電機子巻線。
【請求項８】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から３，４，１１，１２番目の位置であり、当該第２及び第５の並列回路の上下コイル片の位置が極中心から１，６，９，１０番目の位置であり、当該第３及び第６の並列回路の上下コイル片の位置が極中心から２，５，７，８番目の位置となるように接続することを特徴とする回転電機の電機子巻線。
【請求項９】
請求項８に記載の回転電機の電機子巻線において、
前記第１の相帯の上下コイル片の極中心から数えた並列回路番号の配列が順に２，３，１，１，３，２，３，３，２，２，１，１であり、第２の相帯の上下コイル片の極中心から数えた並列回路番号の配列を順に５，６，４，４，６，５，６，６，５，５，４，４となるように接続することを特徴とする回転電機の電機子巻線。
【請求項１０】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から３，４，８，１２番目の位置であり、当該第２及び第５の並列回路の上下コイル片の位置が極中心から２，５，７，１１番目の位置であり、当該第３及び第６の並列回路の上下コイル片の位置が極中心から１，６，９，１０番目の位置となるように接続することを特徴とする回転電機の電機子巻線。
【請求項１１】
請求項１０に記載の回転電機の電機子巻線において、
巻線ピッチを３０／３６〜３５／３６の間の値にしたことを特徴とする回転電機の電機子巻線。
【請求項１２】
請求項１０に記載の回転電機の電機子巻線において、
前記第１の相帯の上下コイル片の極中心から数えた並列回路番号の配列が順に３，２，１，１，２，３，２，１，３，３，２，１であり、第２の相帯の上下コイル片の極中心から数えた並列回路番号の配列を順に６，５，４，４，５，６，５，４，６，６，５，４となるように接続することを特徴とする回転電機の電機子巻線。
【請求項１３】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から１，８，１１，１２番目の位置であり、当該第２及び第５の並列回路の上下コイル片の位置が極中心から３，４，６，１０番目の位置であり、当該第３及び第６の並列回路の上下コイル片の位置が極中心から２，５，７，９番目の位置となるように接続することを特徴とする回転電機の電機子巻線。
【請求項１４】
請求項１３に記載の回転電機の電機子巻線において、
前記第１の相帯の上下コイル片の極中心から数えた並列回路番号の配列が順に１，３，２，２，３，２，３，１，３，２，１，１であり、第２の相帯の上下コイル片の極中心から数えた並列回路番号の配列を順に４，６，５，５，６，５，６，４，６，５，４，４となるように接続することを特徴とする回転電機の電機子巻線。
【請求項１５】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から１，８，１１，１２番目の位置であり、当該第２及び第５の並列回路の上下コイル片の位置が極中心から２，５，７，１０番目の位置であり、当該第３及び第６の並列回路の上下コイル片の位置が極中心から３，４，６，９番目の位置となるように接続することを特徴とする回転電機の電機子巻線。
【請求項１６】
請求項１５に記載の回転電機の電機子巻線において、
前記第１の相帯の上下コイル片の極中心から数えた並列回路番号の配列が順に１，２，３，３，２，３，２，１，３，２，１，１であり、第２の相帯の上下コイル片の極中心から数えた並列回路番号の配列を順に４，５，６，６，５，６，５，４，６，５，４，４となるように接続することを特徴とする回転電機の電機子巻線。
【請求項１７】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から２，５，９，１２番目の位置であり、当該第２及び第５の並列回路の上下コイル片の位置が極中心から１，７，８，１１番目の位置であり、当該第３及び第６の並列回路の上下コイル片の位置が極中心から３，４，６，１０番目の位置となるように接続することを特徴とする回転電機の電機子巻線。
【請求項１８】
請求項１７に記載の回転電機の電機子巻線において、
前記第１の相帯の上下コイル片の極中心から数えた並列回路番号の配列が順に２，１，３，３，１，３，２，２，１，３，２，１であり、第２の相帯の上下コイル片の極中心から数えた並列回路番号の配列を順に５，４，６，６，４，６，５，５，４，６，５，４となるように接続することを特徴とする回転電機の電機子巻線。
【請求項１９】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から２，５，１０，１２番目の位置であり、当該第２及び第５の並列回路の上下コイル片の位置が極中心から１，７，８，１１番目の位置であり、当該第３及び第６の並列回路の上下コイル片の位置が極中心から３，４，６，９番目の位置となるように接続することを特徴とする回転電機の電機子巻線。
【請求項２０】
請求項１９に記載の回転電機の電機子巻線において、
前記第１の相帯の上下コイル片の極中心から数えた並列回路番号の配列が順に２，１，３，３，１，３，２，２，３，１，２，１であり、第２の相帯の上下コイル片の極中心から数えた並列回路番号の配列を順に５，４，６，６，４，６，５，５，６，４，５，４となるように接続することを特徴とする回転電機の電機子巻線。
【請求項２１】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から２，５，１０，１２番目の位置であり、当該第２及び第５の並列回路の上下コイル片の位置が極中心から３，４，７，１１番目の位置であり、当該第３及び第６の並列回路の上下コイル片の位置が極中心から１，６，８，９番目の位置となるように接続することを特徴とする回転電機の電機子巻線。
【請求項２２】
請求項２１に記載の回転電機の電機子巻線において、
前記第１の相帯の上下コイル片の極中心から数えた並列回路番号の配列が順に３，１，２，２，１，３，２，３，３，１，２，１であり、第２の相帯の上下コイル片の極中心から数えた並列回路番号の配列を順に６，４，５，５，４，６，５，６，６，４，５，４となるように接続することを特徴とする回転電機の電機子巻線。
【請求項２３】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から２，５，９，１２番目の位置であり、当該第２及び第５の並列回路の上下コイル片の位置が極中心から３，４，７，１１番目の位置であり、当該第３及び第６の並列回路の上下コイル片の位置が極中心から１，６，８，１０番目の位置となるように接続することを特徴とする回転電機の電機子巻線。
【請求項２４】
請求項２３に記載の回転電機の電機子巻線において、
巻線ピッチを２９／３６〜３１／３６の範囲にある値にしたことを特徴とする回転電機の電機子巻線。
【請求項２５】
請求項２３に記載の回転電機の電機子巻線において、
前記第１の相帯の上下コイル片の極中心から数えた並列回路番号の配列が順に３，１，２，２，１，３，２，３，１，３，２，１であり、第２の相帯の上下コイル片の極中心から数えた並列回路番号の配列を順に６，４，５，５，４，６，５，６，４，６，５，４となるように接続することを特徴とする回転電機の電機子巻線。
【請求項２６】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から２，５，１０，１２番目の位置であり、当該第２及び第５の並列回路の上下コイル片の位置が極中心から１，６，９，１１番目の位置であり、当該第３及び第６の並列回路の上下コイル片の位置が極中心から３，４，７，８番目の位置となるように接続することを特徴とする回転電機の電機子巻線。
【請求項２７】
請求項２６に記載の回転電機の電機子巻線において、
巻線ピッチを２９／３６または３０／３６にしたことを特徴とする回転電機の電機子巻線。
【請求項２８】
請求項２６に記載の回転電機の電機子巻線において、
前記第１の相帯の上下コイル片の極中心から数えた並列回路番号の配列が順に２，１，３，３，１，２，３，３，２，１，２，１であり、第２の相帯の上下コイル片の極中心から数えた並列回路番号の配列を順に５，４，６，６，４，５，６，６，５，４，５，４となるように接続することを特徴とする回転電機の電機子巻線。
【請求項２９】
３相２極の２層巻き電機子巻線であって、当該巻線の各相は６つの並列回路を有し２つの相帯に分割され積層鉄心に設けられた７２個のスロットに納められており、各並列回路は直列コイルを有し、各直列コイルは接続側コイルエンド及び反接続側コイルエンドでそれぞれ互いに接続される上コイル片と下コイル片の２つのコイル片を有し、一つの相帯中の上下コイル片の相対位置を極中心からか数えた位置で表した場合に、当該第１及び第４の並列回路の上下コイル片の位置が極中心から３，４，１１，１２番目の位置であり、当該第２及び第５の並列回路の上下コイル片の位置が極中心から２，５，７，１０番目の位置であり、当該第３及び第６の並列回路の上下コイル片の位置が極中心から１，６，８，９番目の位置となるように接続することを特徴とする回転電機の電機子巻線。
【請求項３０】
請求項２９に記載の回転電機の電機子巻線において、
前記第１の相帯の上下コイル片の極中心から数えた並列回路番号の配列が順に３，２，１，１，２，３，２，３，３，２，１，１であり、第２の相帯の上下コイル片の極中心から数えた並列回路番号の配列を順に６，５，４，４，５，６，５，６，６，５，４，４となるように接続することを特徴とする回転電機の電機子巻線。
【請求項３１】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から２，５，９，１２番目の位置であり、当該第２及び第５の並列回路の上下コイル片の位置が極中心から１，６，１０，１１番目の位置であり、当該第３及び第６の並列回路の上下コイル片の位置が極中心から３，４，７，８番目の位置となるように接続することを特徴とする回転電機の電機子巻線。
【請求項３２】
請求項３１に記載の回転電機の電機子巻線において、
前記第１の相帯の上下コイル片の極中心から数えた並列回路番号の配列が順に２，１，３，３，１，２，３，３，１，２，２，１であり、第２の相帯の上下コイル片の極中心から数えた並列回路番号の配列を順に５，４，６，６，４，５，６，６，４，５，５，４となるように接続することを特徴とする回転電機の電機子巻線。
【請求項３３】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から３，４，８，１２番目の位置であり、当該第２及び第５の並列回路の上下コイル片の位置が極中心から１，６，９，１１番目の位置であり、当該第３及び第６の並列回路の上下コイル片の位置が極中心から２，５，７，１０番目の位置となるように接続することを特徴とする回転電機の電機子巻線。
【請求項３４】
請求項３３に記載の回転電機の電機子巻線において、
巻線ピッチを２８／３６〜３１／３６の範囲の値にしたことを特徴とする回転電機の電機子巻線。
【請求項３５】
請求項３３に記載の回転電機の電機子巻線において、
前記第１の相帯の上下コイル片の極中心から数えた並列回路番号の配列が順に２，３，１，１，３，２，３，１，２，３，２，１であり、第２の相帯の上下コイル片の極中心から数えた並列回路番号の配列を順に５，６，４，４，６，５，６，４，５，６，５，４となるように接続することを特徴とする回転電機の電機子巻線。
【請求項３６】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から３，４，１１，１２番目の位置であり、当該第２及び第５の並列回路の上下コイル片の位置が極中心から１，６，８，１０番目の位置であり、当該第３及び第６の並列回路の上下コイル片の位置が極中心から２，５，７，９番目の位置となるように接続することを特徴とする回転電機の電機子巻線。
【請求項３７】
請求項３６に記載の回転電機の電機子巻線において、
前記第１の相帯の上下コイル片の極中心から数えた並列回路番号の配列が順に２，３，１，１，３，２，３，２，３，２，１，１であり、第２の相帯の上下コイル片の極中心から数えた並列回路番号の配列を順に５，６，４，４，６，５，６，５，６，５，４，４となるように接続することを特徴とする回転電機の電機子巻線。
【請求項３８】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から３，４，８，１２番目の位置であり、当該第２及び第５の並列回路の上下コイル片の位置が極中心から１，６，１０，１１番目の位置であり、当該第３及び第６の並列回路の上下コイル片の位置が極中心から２，５，７，９番目の位置となるように接続することを特徴とする回転電機の電機子巻線。
【請求項３９】
請求項３８に記載の回転電機の電機子巻線において、
前記第１の相帯の上下コイル片の極中心から数えた並列回路番号の配列が順に２，３，１，１，３，２，３，１，３，２，２，１であり、第２の相帯の上下コイル片の極中心から数えた並列回路番号の配列を順に５，６，４，４，６，５，６，４，６，５，５，４となるように接続することを特徴とする回転電機の電機子巻線。
【請求項４０】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から３，４，７，１２番目の位置であり、当該第２及び第５の並列回路の上下コイル片の位置が極中心から２，５，８，１１番目の位置であり、当該第３及び第６の並列回路の上下コイル片の位置が極中心から１，６，９，１０番目の位置となるように接続することを特徴とする回転電機の電機子巻線。
【請求項４１】
請求項４０に記載の回転電機の電機子巻線において、
前記第１の相帯の上下コイル片の極中心から数えた並列回路番号の配列が順に３，２，１，１，２，３，１，２，３，３，２，１であり、第２の相帯の上下コイル片の極中心から数えた並列回路番号の配列を順に６，５，４，４，５，６，４，５，６，６，５，４となるように接続することを特徴とする回転電機の電機子巻線。
【請求項４２】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から１，７，９，１２番目の位置であり、当該第２及び第５の並列回路の上下コイル片の位置が極中心から２，５，８，１１番目の位置であり、当該第３及び第６の並列回路の上下コイル片の位置が極中心から３，４，６，１０番目の位置となるように接続することを特徴とする回転電機の電機子巻線。
【請求項４３】
請求項４２に記載の回転電機の電機子巻線において、
前記第１の相帯の上下コイル片の極中心から数えた並列回路番号の配列が順に１，２，３，３，２，３，１，２，１，３，２，１であり、第２の相帯の上下コイル片の極中心から数えた並列回路番号の配列を順に４，５，６，６，５，６，４，５，４，６，５，４となるように接続することを特徴とする回転電機の電機子巻線。
【請求項４４】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から１，７，１０，１２番目の位置であり、当該第２及び第５の並列回路の上下コイル片の位置が極中心から２，５，８，１１番目の位置であり、当該第３及び第６の並列回路の上下コイル片の位置が極中心から３，４，６，９番目の位置となるように接続することを特徴とする回転電機の電機子巻線。
【請求項４５】
請求項４４に記載の回転電機の電機子巻線において、
前記第１の相帯の上下コイル片の極中心から数えた並列回路番号の配列が順に１，２，３，３，２，３，１，２，３，１，２，１であり、第２の相帯の上下コイル片の極中心から数えた並列回路番号の配列を順に４，５，６，６，５，６，４，５，６，４，５，４となるように接続することを特徴とする回転電機の電機子巻線。
【請求項４６】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から１，８，９，１２番目の位置であり、当該第２及び第５の並列回路の上下コイル片の位置が極中心から２，５，７，１１番目の位置であり、当該第３及び第６の並列回路の上下コイル片の位置が極中心から３，４，６，１０番目の位置となるように接続することを特徴とする回転電機の電機子巻線。
【請求項４７】
請求項４６に記載の回転電機の電機子巻線において、
前記第１の相帯の上下コイル片の極中心から数えた並列回路番号の配列が順に１，２，３，３，２，３，２，１，１，３，２，１であり、第２の相帯の上下コイル片の極中心から数えた並列回路番号の配列を順に４，５，６，６，５，６，５，４，４，６，５，４となるように接続することを特徴とする回転電機の電機子巻線。
【請求項４８】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から１，８，１０，１２番目の位置であり、当該第２及び第５の並列回路の上下コイル片の位置が極中心から２，５，７，１１番目の位置であり、当該第３及び第６の並列回路の上下コイル片の位置が極中心から３，４，６，９番目の位置となるように接続することを特徴とする回転電機の電機子巻線。
【請求項４９】
請求項４８に記載の回転電機の電機子巻線において、
前記第１の相帯の上下コイル片の極中心から数えた並列回路番号の配列が順に１，２，３，３，２，３，２，１，３，１，２，１であり、第２の相帯の上下コイル片の極中心から数えた並列回路番号の配列を順に４，５，６，６，５，６，５，４，６，４，５，４となるように接続することを特徴とする回転電機の電機子巻線。
【請求項５０】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から１，９，１１，１２番目の位置であり、当該第２及び第５の並列回路の上下コイル片の位置が極中心から３，４，６，１０番目の位置であり、当該第３及び第６の並列回路の上下コイル片の位置が極中心から２，５，７，８番目の位置となるように接続することを特徴とする回転電機の電機子巻線。
【請求項５１】
請求項５０に記載の回転電機の電機子巻線において、
前記第１の相帯の上下コイル片の極中心から数えた並列回路番号の配列が順に１，３，２，２，３，２，３，３，１，２，１，１であり、第２の相帯の上下コイル片の極中心から数えた並列回路番号の配列を順に４，６，５，５，６，５，６，６，４，５，４，４となるように接続することを特徴とする回転電機の電機子巻線。
【請求項５２】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から１，７，８，９番目の位置であり、当該第２及び第５の並列回路の上下コイル片の位置が極中心から３，４，６，１０番目の位置であり、当該第３及び第６の並列回路の上下コイル片の位置が極中心から２，５，１１，１２番目の位置となるように接続することを特徴とする回転電機の電機子巻線。
【請求項５３】
請求項５２に記載の回転電機の電機子巻線において、
前記第１の相帯の上下コイル片の極中心から数えた並列回路番号の配列が順に１，３，２，２，３，２，１，１，１，２，３，３であり、第２の相帯の上下コイル片の極中心から数えた並列回路番号の配列を順に４，６，５，５，６，５，４，４，４，５，６，６となるように接続することを特徴とする回転電機の電機子巻線。
【請求項５４】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から１，１０，１１，１２番目の位置であり、当該第２及び第５の並列回路の上下コイル片の位置が極中心から３，４，６，９番目の位置であり、当該第３及び第６の並列回路の上下コイル片の位置が極中心から２，５，７，８番目の位置となるように接続することを特徴とする回転電機の電機子巻線。
【請求項５５】
請求項５４に記載の回転電機の電機子巻線において、
前記第１の相帯の上下コイル片の極中心から数えた並列回路番号の配列が順に１，３，２，２，３，２，３，３，２，１，１，１であり、第２の相帯の上下コイル片の極中心から数えた並列回路番号の配列を順に４，６，５，５，６，５，６，６，５，４，４，４となるように接続することを特徴とする回転電機の電機子巻線。
【請求項５６】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から２，５，８，１２番目の位置であり、当該第２及び第５の並列回路の上下コイル片の位置が極中心から１，７，９，１１番目の位置であり、当該第３及び第６の並列回路の上下コイル片の位置が極中心から３，４，６，１０番目の位置となるように接続することを特徴とする回転電機の電機子巻線。
【請求項５７】
請求項５６に記載の回転電機の電機子巻線において、
前記第１の相帯の上下コイル片の極中心から数えた並列回路番号の配列が順に２，１，３，３，１，３，２，１，２，３，２，１であり、第２の相帯の上下コイル片の極中心から数えた並列回路番号の配列を順に５，４，６，６，４，６，５，４，５，６，５，４となるように接続することを特徴とする回転電機の電機子巻線。
【請求項５８】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から２，５，１１，１２番目の位置であり、当該第２及び第５の並列回路の上下コイル片の位置が極中心から１，７，８，１０番目の位置であり、当該第３及び第６の並列回路の上下コイル片の位置が極中心から３，４，６，９番目の位置となるように接続することを特徴とする回転電機の電機子巻線。
【請求項５９】
請求項５８に記載の回転電機の電機子巻線において、
前記第１の相帯の上下コイル片の極中心から数えた並列回路番号の配列が順に２，１，３，３，１，３，２，２，３，２，１，１であり、第２の相帯の上下コイル片の極中心から数えた並列回路番号の配列を順に５，４，６，６，４，６，５，５，６，５，４，４となるように接続することを特徴とする回転電機の電機子巻線。
【請求項６０】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上下コイル片の位置が極中心から２，５，８，１２番目の位置であり、当該第２及び第５の並列回路の上下コイル片の位置が極中心から１，７，１０，１１番目の位置であり、当該第３及び第６の並列回路の上下コイル片の位置が極中心から３，４，６，９番目の位置となるように接続することを特徴とする回転電機の電機子巻線。
【請求項６１】
請求項６０に記載の回転電機の電機子巻線において、
前記第１の相帯の上下コイル片の極中心から数えた並列回路番号の配列が順に２，１，３，３，１，３，２，１，３，２，２，１であり、第２の相帯の上下コイル片の極中心から数えた並列回路番号の配列を順に５，４，６，６，４，６，５，４，６，５，５，４となるように接続することを特徴とする回転電機の電機子巻線。
【請求項６２】
積層鉄心に設けられた７２個のスロットに納められる３相２極の２層巻き電機子巻線であって、
当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、
当該第１及び第４の並列回路の上コイル片の位置が極中心から２，５，７，１２番目の位置であり、下コイル片の位置が極中心から１，６，９，１０番目の位置であり、当該第２及び第５の並列回路の上コイル片の位置が極中心から３，４，８，１１番目の位置であり、下コイル片の位置が極中心から３，４，７，１２番目の位置であり、当該第３及び第６の並列回路の上コイル片の位置が極中心から１，６，９，１０番目の位置であり、下コイル片の位置が極中心から２，５，８，１１番目の位置となるように接続することを特徴とする回転電機の電機子巻線。
【請求項６３】
請求項６２に記載の回転電機の電機子巻線において、
前記第１の相帯の上コイル片の極中心から数えた並列回路番号の配列が順に３，１，２，２，１，３，１，２，３，３，２，１であり、下コイル片の極中心から数えた並列回路番号の配列が順に１,３、２，２，３，１，２，３，１，１，３，２であり、第２の相帯の上コイル片の極中心から数えた並列回路番号の配列を順に６，４，５，５，４，６，６，４，５，６，５，４であり、下コイル片の極中心から数えた並列回路番号の配列を順に４，６，５，５，６，４，５，６，４，４，６，５となるように接続することを特徴とする回転電機の電機子巻線。
【請求項６４】
請求項６、請求項１７、請求項１９、請求項２１、請求項２９、請求項３６、請求項４２、請求項４６、請求項４８、請求項５６、請求項６０の何れかに記載の回転電機の電機子巻線において、
巻線ピッチを３０／３６または３１／３６の値にしたことを特徴とする回転電機の電機子巻線。
【請求項６５】
請求項８、請求項３１、請求項３８の何れかに記載の回転電機の電機子巻線において、
巻線ピッチを２９／３６または３０／３６の値にしたことを特徴とする回転電機の電機子巻線。
【請求項６６】
請求項１３、請求項１５、請求項４４、請求項５０、請求項５２、請求項５４、請求項５８の何れかに記載の回転電機の電機子巻線において、
巻線ピッチを３０／３６の値にしたことを特徴とする回転電機の電機子巻線。
【請求項６７】
請求項１乃至請求項６６の何れかに記載の電機子巻線を備えたことを特徴とする回転電機。
【発明の詳細な説明】
【技術分野】
【０００１】
本発明は、３相２極７２スロットを備えた回転電機に適用される６並列回路を有する電機子巻線に関する。
【背景技術】
【０００２】
大容量の回転電機においては、電機子巻線は上コイル片と下コイル片を積層鉄心に設けられたスロットに２層に配置し、これを直列に接続することによって発生電圧を高め、機器容量を増大している。しかし、電機子巻線の電圧が高くなると耐電圧のために電機子巻線の主絶縁厚さが厚くなり、その結果として導体部分の断面積が減少して電流密度が増加し、損失増加を招く。
【０００３】
また、特に電機子巻線を主絶縁の外側から冷却するような間接冷却方式の機械では、主絶縁厚さが厚くなることは熱抵抗の増加を招き、電機子巻線の温度上昇が大きくなる問題がある。このため、電機子巻線を複数の並列回路に分割することにより、機器の容量はそのままにして電機子巻線の電圧を低減して主絶縁厚さを薄くし、損失低減および冷却能力の向上を図ることが実施されている。また、間接冷却方式の大容量機ではスロット数を多くして電機子巻線の冷却周長を増加することが一般的であるため、３並列回路を超えるような並列回路を有する電機子巻線が必要となっている。
【０００４】
このように２極機において３並列回路を超えるような並列回路を有する電機子巻線を適用した場合には、各並列回路の発生電圧を完全に同一にすることができないため、並列回路間の循環電流が発生し、電機子巻線の損失を増加する問題が発生する。
【０００５】
この循環電流損失を低減するためには、各並列回路の発生電圧の不平衡をできる限り小さくすることが肝要であり、このために各相帯中の各並列回路に属するコイル配置に特別な配慮を必要とする。
【０００６】
このようなコイル配置を改善した例について、図３０に示す電機子巻線の１相分の展開模式図を参照して説明する。
【０００７】
図３０はハミルトン・テイラーの米国特許に基づく３相２極７２スロットを有する回転電機に適用可能な４並列回路を有する電機子巻線の例を示すものである（特許文献１）。
【０００８】
なお、図３０では１相分のみを示しているが他の２相については、図示された相の電機子巻線の構成をそれぞれ１２０度および２４０度ずらしたものであることは容易に理解できる。
【０００９】
同特許においては、並列回路を１〜４の番号で表した場合に第１の相帯１７の１２個の上コイル片１５ａ、下コイル片１６ａの並列回路番号をそれぞれ極中心側から順に１２２１２１１２１２２１とし、第２の相帯１８の上コイル片１５ｂ、下コイル片１６ｂの並列回路番号をそれぞれ極中心側から順に３４４３４３３４３４４３とするようにし、並列回路毎の電圧の大きさの偏差（平均的な相電圧よりの偏差の絶対値）および並列回路毎の電圧の位相差の偏差（平均的な相電圧の位相角の偏差）を小さくなるようにしている。
【００１０】
また、このような接続を実現するため、図３０においては接続側のコイルエンド１９ａに１４本／相のジャンパ線２０ａを設けている。
【００１１】
一方、並列回路毎の電圧の大きさの偏差および位相角の偏差については、ルドルフ・ヘイバーマンの米国特許が知られている（特許文献２）。
【００１２】
同特許においては、並列回路毎の電圧の大きさの偏差については０．４％以内、位相角の偏差については０．１５度以内という基準が示されているが、上述したハミルトン・テイラーの米国特許においては並列回路毎の電圧の大きさの偏差が０．１２％、位相角の偏差が０度と同基準からみても高度な平衡度を示しており、循環電流を低減する効果は十分なものと考えられる。
【先行技術文献】
【特許文献】
【００１３】
【特許文献１】米国特許第２，７７８，９６２号明細書
【特許文献２】米国特許第２，７７８，９６３号明細書
【発明の概要】
【発明が解決しようとする課題】
【００１４】
上述した特許文献１（ハミルトン・テイラーの米国特許）における接続方法は、３相２極７２スロットを有する回転電機に適用可能な４並列回路を有する電機子巻線を提供するものであるが、間接冷却方式の大容量回転電機においてはさらに並列回路数の多い電機子巻線が必要となる。
【００１５】
本発明は、上述した事情を考慮してなされたもので、３相２極７２スロットを有する大容量機に適用される６並列回路を有する回転電機の電機子巻線を提供することを目的とする。
【課題を解決するための手段】
【００１６】
本発明は、上記の目的を達成するため次のような手段により回転電機の電機子巻線を構成するものである。
【００１７】
（１）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上コイル片の位置が極中心から３，４，７，１２番目の位置であり、下コイル片の位置が極中心から１，６，９，１０番目の位置であり、当該第２及び第５の並列回路の上下コイル片の位置が極中心から２，５，８，１１番目の位置であり、当該第３及び第６の並列回路の上コイル片の位置が極中心から１，６，９，１０番目の位置であり、下コイル片の位置が極中心から３，４，７，１２番目の位置となるように接続する。
【００１８】
（２）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から２，５，８，１２番目の位置であり、当該第２及び第５の並列回路の上下コイル片の位置が極中心から３，４，７，１１番目の位置であり、当該第３及び第６の並列回路の上下コイル片の位置が極中心から１，６，９，１０番目の位置となるように接続する。
【００１９】
（３）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から２，５，１１，１２番目の位置であり、当該第２及び第５の並列回路の上下コイル片の位置が極中心から１，６，９，１０番目の位置であり、当該第３及び第６の並列回路の上下コイル片の位置が極中心から３，４，７，８番目の位置となるように接続する。
【００２０】
（４）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から３，４，１１，１２番目の位置であり、当該第２及び第５の並列回路の上下コイル片の位置が極中心から１，６，９，１０番目の位置であり、当該第３及び第６の並列回路の上下コイル片の位置が極中心から２，５，７，８番目の位置となるように接続する。
【００２１】
（５）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から３，４，８，１２番目の位置であり、当該第２及び第５の並列回路の上下コイル片の位置が極中心から２，５，７，１１番目の位置であり、当該第３及び第６の並列回路の上下コイル片の位置が極中心から１，６，９，１０番目の位置となるように接続する。
【００２２】
（６）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から１，８，１１，１２番目の位置であり、当該第２及び第５の並列回路の上下コイル片の位置が極中心から３，４，６，１０番目の位置であり、当該第３及び第６の並列回路の上下コイル片の位置が極中心から２，５，７，９番目の位置となるように接続する。
【００２３】
（７）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から１，８，１１，１２番目の位置であり、当該第２及び第５の並列回路の上下コイル片の位置が極中心から２，５，７，１０番目の位置であり、当該第３及び第６の並列回路の上下コイル片の位置が極中心から３，４，６，９番目の位置となるように接続する。
【００２４】
（８）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から２，５，９，１２番目の位置であり、当該第２及び第５の並列回路の上下コイル片の位置が極中心から１，７，８，１１番目の位置であり、当該第３及び第６の並列回路の上下コイル片の位置が極中心から３，４，６，１０番目の位置となるように接続する。
【００２５】
（９）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から２，５，１０，１２番目の位置であり、当該第２及び第５の並列回路の上下コイル片の位置が極中心から１，７，８，１１番目の位置であり、当該第３及び第６の並列回路の上下コイル片の位置が極中心から３，４，６，９番目の位置となるように接続する。
【００２６】
（１０）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から２，５，１０，１２番目の位置であり、当該第２及び第５の並列回路の上下コイル片の位置が極中心から３，４，７，１１番目の位置であり、当該第３及び第６の並列回路の上下コイル片の位置が極中心から１，６，８，９番目の位置となるように接続する。
【００２７】
（１１）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から２，５，９，１２番目の位置であり、当該第２及び第５の並列回路の上下コイル片の位置が極中心から３，４，７，１１番目の位置であり、当該第３及び第６の並列回路の上下コイル片の位置が極中心から１，６，８，１０番目の位置となるように接続する。
【００２８】
（１２）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から２，５，１０，１２番目の位置であり、当該第２及び第５の並列回路の上下コイル片の位置が極中心から１，６，９，１１番目の位置であり、当該第３及び第６の並列回路の上下コイル片の位置が極中心から３，４，７，８番目の位置となるように接続する。
【００２９】
（１３）本発明は、３相２極の２層巻き電機子巻線であって、当該巻線の各相は６つの並列回路を有し２つの相帯に分割され積層鉄心に設けられた７２個のスロットに納められており、各並列回路は直列コイルを有し、各直列コイルは接続側コイルエンド及び反接続側コイルエンドでそれぞれ互いに接続される上コイル片と下コイル片の２つのコイル片を有し、一つの相帯中の上下コイル片の相対位置を極中心からか数えた位置で表した場合に、当該第１及び第４の並列回路の上下コイル片の位置が極中心から３，４，１１，１２番目の位置であり、当該第２及び第５の並列回路の上下コイル片の位置が極中心から２，５，７，１０番目の位置であり、当該第３及び第６の並列回路の上下コイル片の位置が極中心から１，６，８，９番目の位置となるように接続する。
【００３０】
（１４）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から２，５，９，１２番目の位置であり、当該第２及び第５の並列回路の上下コイル片の位置が極中心から１，６，１０，１１番目の位置であり、当該第３及び第６の並列回路の上下コイル片の位置が極中心から３，４，７，８番目の位置となるように接続する。
【００３１】
（１５）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から３，４，８，１２番目の位置であり、当該第２及び第５の並列回路の上下コイル片の位置が極中心から１，６，９，１１番目の位置であり、当該第３及び第６の並列回路の上下コイル片の位置が極中心から２，５，７，１０番目の位置となるように接続する。
【００３２】
（１６）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から３，４，１１，１２番目の位置であり、当該第２及び第５の並列回路の上下コイル片の位置が極中心から１，６，８，１０番目の位置であり、当該第３及び第６の並列回路の上下コイル片の位置が極中心から２，５，７，９番目の位置となるように接続する。
【００３３】
（１７）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から３，４，８，１２番目の位置であり、当該第２及び第５の並列回路の上下コイル片の位置が極中心から１，６，１０，１１番目の位置であり、当該第３及び第６の並列回路の上下コイル片の位置が極中心から２，５，７，９番目の位置となるように接続する。
【００３４】
（１８）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から３，４，７，１２番目の位置であり、当該第２及び第５の並列回路の上下コイル片の位置が極中心から２，５，８，１１番目の位置であり、当該第３及び第６の並列回路の上下コイル片の位置が極中心から１，６，９，１０番目の位置となるように接続する。
【００３５】
（１９）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から１，７，９，１２番目の位置であり、当該第２及び第５の並列回路の上下コイル片の位置が極中心から２，５，８，１１番目の位置であり、当該第３及び第６の並列回路の上下コイル片の位置が極中心から３，４，６，１０番目の位置となるように接続する。
【００３６】
（２０）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から１，７，１０，１２番目の位置であり、当該第２及び第５の並列回路の上下コイル片の位置が極中心から２，５，８，１１番目の位置であり、当該第３及び第６の並列回路の上下コイル片の位置が極中心から３，４，６，９番目の位置となるように接続する。
【００３７】
（２１）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から１，８，９，１２番目の位置であり、当該第２及び第５の並列回路の上下コイル片の位置が極中心から２，５，７，１１番目の位置であり、当該第３及び第６の並列回路の上下コイル片の位置が極中心から３，４，６，１０番目の位置となるように接続する。
【００３８】
（２２）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から１，８，１０，１２番目の位置であり、当該第２及び第５の並列回路の上下コイル片の位置が極中心から２，５，７，１１番目の位置であり、当該第３及び第６の並列回路の上下コイル片の位置が極中心から３，４，６，９番目の位置となるように接続する。
【００３９】
（２３）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から１，９，１１，１２番目の位置であり、当該第２及び第５の並列回路の上下コイル片の位置が極中心から３，４，６，１０番目の位置であり、当該第３及び第６の並列回路の上下コイル片の位置が極中心から２，５，７，８番目の位置となるように接続する。
【００４０】
（２４）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から１，７，８，９番目の位置であり、当該第２及び第５の並列回路の上下コイル片の位置が極中心から３，４，６，１０番目の位置であり、当該第３及び第６の並列回路の上下コイル片の位置が極中心から２，５，１１，１２番目の位置となるように接続する。
【００４１】
（２５）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から１，１０，１１，１２番目の位置であり、当該第２及び第５の並列回路の上下コイル片の位置が極中心から３，４，６，９番目の位置であり、当該第３及び第６の並列回路の上下コイル片の位置が極中心から２，５，７，８番目の位置となるように接続する。
【００４２】
（２６）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から２，５，８，１２番目の位置であり、当該第２及び第５の並列回路の上下コイル片の位置が極中心から１，７，９，１１番目の位置であり、当該第３及び第６の並列回路の上下コイル片の位置が極中心から３，４，６，１０番目の位置となるように接続する。
【００４３】
（２７）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から２，５，１１，１２番目の位置であり、当該第２及び第５の並列回路の上下コイル片の位置が極中心から１，７，８，１０番目の位置であり、当該第３及び第６の並列回路の上下コイル片の位置が極中心から３，４，６，９番目の位置となるように接続する。
【００４４】
（２８）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上下コイル片の位置が極中心から２，５，８，１２番目の位置であり、当該第２及び第５の並列回路の上下コイル片の位置が極中心から１，７，１０，１１番目の位置であり、当該第３及び第６の並列回路の上下コイル片の位置が極中心から３，４，６，９番目の位置となるように接続する。
【００４５】
（２９）本発明は、積層鉄心に設けられた７２個のスロットに納められる３相２極の２層巻き電機子巻線であって、当該巻線の各相は、第１及び第２の相帯からなる２つの相帯に分割した６つの並列回路を有し、各並列回路は接続側コイルエンド及び反接続側コイルエンドでそれぞれ互いに直列接続される上コイル片と下コイル片の２つのコイル片からなり、一つの相帯中の上下コイル片の相対位置を極中心から順に数えた位置で表した場合に、当該第１及び第４の並列回路の上コイル片の位置が極中心から２，５，７，１２番目の位置であり、下コイル片の位置が極中心から１，６，９，１０番目の位置であり、当該第２及び第５の並列回路の上コイル片の位置が極中心から３，４，８，１１番目の位置であり、下コイル片の位置が極中心から３，４，７，１２番目の位置であり、当該第３及び第６の並列回路の上コイル片の位置が極中心から１，６，９，１０番目の位置であり、下コイル片の位置が極中心から２，５，８，１１番目の位置となるように接続する。
【発明の効果】
【００４６】
本発明によれば、間接冷却方式の大容量回転電機においても好適な並列回路数の多い電機子巻線を提供することができる。
【図面の簡単な説明】
【００４７】
【図１】本発明の第１の実施形態における回転電機の電機子巻線の１相分を示す展開模式図。
【図２】本発明の第２の実施形態における回転電機の電機子巻線の１相分を示す展開模式図。
【図３】本発明の第３の実施形態における回転電機の電機子巻線の１相分を示す展開模式図。
【図４】本発明の第４の実施形態における回転電機の電機子巻線の１相分を示す展開模式図。
【図５】本発明の第５の実施形態における回転電機の電機子巻線の１相分を示す展開模式図。
【図６】本発明の第６の実施形態における回転電機の電機子巻線の１相分を示す展開模式図。
【図７】本発明の第７の実施形態における回転電機の電機子巻線の１相分を示す展開模式図。
【図８】本発明の第８の実施形態における回転電機の電機子巻線の１相分を示す展開模式図。
【図９】本発明の第９の実施形態における回転電機の電機子巻線の１相分を示す展開模式図。
【図１０】本発明の第１０の実施形態における回転電機の電機子巻線の１相分を示す展開模式図。
【図１１】本発明の第１１の実施形態における回転電機の電機子巻線の１相分を示す展開模式図。
【図１２】本発明の第１２の実施形態における回転電機の電機子巻線の１相分を示す展開模式図。
【図１３】本発明の第１３の実施形態における回転電機の電機子巻線の１相分を示す展開模式図。
【図１４】本発明の第１４の実施形態における回転電機の電機子巻線の１相分を示す展開模式図。
【図１５】本発明の第１５の実施形態における回転電機の電機子巻線の１相分を示す展開模式図。
【図１６】本発明の第１６の実施形態における回転電機の電機子巻線の１相分を示す展開模式図。
【図１７】本発明の第１７の実施形態における回転電機の電機子巻線の１相分を示す展開模式図。
【図１８】本発明の第１８の実施形態における回転電機の電機子巻線の１相分を示す展開模式図。
【図１９】本発明の第１９の実施形態における回転電機の電機子巻線の１相分を示す展開模式図。
【図２０】本発明の第２０の実施形態における回転電機の電機子巻線の１相分を示す展開模式図。
【図２１】本発明の第２１の実施形態における回転電機の電機子巻線の１相分を示す展開模式図。
【図２２】本発明の第２２の実施形態における回転電機の電機子巻線の１相分を示す展開模式図。
【図２３】本発明の第２３の実施形態における回転電機の電機子巻線の１相分を示す展開模式図。
【図２４】本発明の第２４の実施形態における回転電機の電機子巻線の１相分を示す展開模式図。
【図２５】本発明の第２５の実施形態における回転電機の電機子巻線の１相分を示す展開模式図。
【図２６】本発明の第２６の実施形態における回転電機の電機子巻線の１相分を示す展開模式図。
【図２７】本発明の第２７の実施形態における回転電機の電機子巻線の１相分を示す展開模式図。
【図２８】本発明の第２８の実施形態における回転電機の電機子巻線の１相分を示す展開模式図。
【図２９】本発明の第２９の実施形態における回転電機の電機子巻線の１相分を示す展開模式図。
【図３０】従来の回転電機の電機子巻線の１相分を示す展開模式図。
【発明を実施するための形態】
【００４８】
以下、本発明の実施形態について図面を参照して説明する。
【００４９】
（第１の実施形態）（請求項１，２対応）
図１は、本発明の第１の実施形態における回転電機の電機子巻線の１相分を示す展開模式図である。
【００５０】
図１に示すように回転電機の電機子１１は、積層鉄心よりなる電機子鉄心１２に７２個のスロット１３を設けてあり、２極３相６並列回路の電機子巻線はスロット１３に２層に納められている。
【００５１】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【００５２】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【００５３】
ここで、第１及び第２の相帯とは、３相各相を２つに分割して割り当てられた積層鉄心（電機子鉄心）に有する７２個のスロットにそれぞれ上コイル片及び下コイル片を２層に収めてこれらを順次直列接続して同一相を形成する巻線部分を言う。
【００５４】
各相の電機子巻線はそれぞれ６つの並列回路を有しており、この各並列回路には図示したように○の中に１，２，３、４、５、６という回路番号をつけて識別している。なお、この回路番号は単に説明の便宜上、その並列回路を特定するためにつけた符号であって、特にどのような符号をどのような順番につけてもかまわないものである。
【００５５】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【００５６】
図１は、コイルピッチに２／３という小さ目の値を採用した例であるが、これは図を見やすくする目的のためであって、特にこのコイルピッチに特定されるものではない。
【００５７】
図１に示すように各相帯１７、１８の接続側コイルエンド１９ａに８本／相のジャンパ線２０ａを設けることにより、第１の相帯１７における上コイル片１５の回路番号が極中心Ｐａ側から順に３，２，１，１，２，３，１，２，３，３，２，１となり、下コイル片１６の回路番号が極中心Ｐａ側から順に１,２,３,３,２，１，３，２，１，１，２，３となり、第２の相帯１８における上コイル片１５の回路番号が極中心Ｐｂ側から順に６，５，４，４，５，６，４，５，６，６，５，４となり、下コイル片１６の回路番号が極中心極中心Ｐｂ側から側から順に４,５,６,６,５，４，６，５，４，４，５，６となるようにして接続している。
【００５８】
これにより、相帯内の上下コイル片１５，１６の相対位置を極中心からの位置によって表した場合に、各並列回路の上下コイル片１５，１６の位置は表１のようになる。
【表１】
2010252438.tif 000003
【００５９】
表１に示すように第１及び第４の並列回路の４個の上コイル片１５が、極中心から３，４，７，１２番目の位置に、４個の下コイル片１６が極中心から１，６，９，１０番目の位置に配置され、上記第２及び第５の並列回路の各４個の上下コイル片１５，１６については、極中心から２，５，８，１１番目の位置に配置され、上記第３及び第６の並列回路の４個の上コイル片１５については、極中心から１，６，９，１０番目の位置に、４個の下コイル片１６については極中心から３，４，６，７，１２番目の位置にそれぞれ配置されている。
【００６０】
次に１相中の発生電圧の不平衡について説明するが、ここではその不平衡度を数値評価する手段として、一般に次の定義を採用する。つまり、一相中の多数の並列回路のうちの１回路のみの電圧をｐ．ｕ．表示で表わしたものは、その並列回路の開放電圧と相全体としての平均電圧（相電圧）との比であって、その並列回路と相全体の電圧の大きさの不平衡の程度を表わす。同様に、１つの並列回路に発生する開放電圧と相電圧との位相角偏差はその並列回路と相全体の電圧の位相角の不平衡の程度を表わす。
【００６１】
表２は本発明の第１の実施形態における電機子巻線の発生電圧の平衡度を示すものである。なお、本実施形態では平衡度はコイルピッチによって変化しない。表２に示すように本発明の第１の実施形態における電機子巻線では、電圧の大きさの偏差（ｐ．ｕ．電圧の１．０よりの偏差）は最大で０．２５％、位相角の偏差が０．１７度とルドルフ・ヘイバーマンの特許による基準値である、電圧の大きさの偏差で０．４％、位相角の偏差を０．１５度以内という基準と比較して位相角の偏差がわずかに大きいが、電圧の大きさの偏差は小さく、全体として高度な平衡度を実現していることがわかる。
【表２】
2010252438.tif 000004
【００６２】
以上のように本発明の第１の実施形態においては、並列回路毎の電圧について前述のルドルフ・ヘイバーマンの特許による基準と同程度の平衡度を実現でき、循環電流を低減することができる。
【００６３】
また、本発明の第１の実施形態においては、ジャンパ線２０ａの総数が８本／相であるのに対して、図３０に示す電機子巻線の１相分のジャンパ線が１４本／相であり、減少していることがわかる。このため、ジャンパ線２０ａの間の距離が拡大し、ジャンパ線２０ａの接続のための作業性が改善され、接続部の絶縁性、固定強度の確保が容易になってより信頼性の高い電機子巻線を提供できる。
【００６４】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【００６５】
（第２の実施形態）（請求項３，４，５対応）
図２は本発明の第２の実施形態における回転電機の電機子巻線の１相分を示す展開模式図である。
【００６６】
図２に示すように回転電機の電機子１１は、積層鉄心よりなる電機子鉄心１２に７２個のスロット１３を設けてあり、２極３相６並列回路の電機子巻線はスロット１３に２層に納められている。
【００６７】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【００６８】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【００６９】
各相の電機子巻線１４はそれぞれ６つの並列回路を有しており、この各並列回路に図示したように○の中に１，２，３，４，５，６という回路番号をつけて識別している。
【００７０】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【００７１】
図２に示すように各相帯１７，１８の反接続側コイルエンド１９ａに４本／相のジャンパ線２０ａを、反接続側コイルエンド１９ｂに１４本／相帯のジャンパ線２０ｂを設けることにより、相帯内の上下コイル片１５，１６の相対位置を極中心からの位置によって表した場合に、各並列回路の上下コイル片１５，１６の位置は表３のようになる。
【表３】
2010252438.tif 000005
【００７２】
表３に示すように、第１及び第４の並列回路の各４個の上下コイル片１５，１６を極中心から２，５，８，１２番目の位置にそれぞれ配置し、上記第２及び第５の並列回路の各４個の上下コイル片１５，１６については、極中心から３，４，７，１１番目の位置にそれぞれ配置し、上記第３及び第６の並列回路の各４個の上下コイル片１５，１６については極中心から１，６，９，１０番目の位置にそれぞれ配置されている。
【００７３】
これにより、第１の相帯１７における上下コイル片１５、１６の回路番号が極中心側から順に３，１，２，２，１，３，２，１，３，３，２，１となり、第２の相帯１８における上下コイル片１５、１６の回路番号が極中心側から順に６，４，５，５，４，６，５，４，６，６，５，４となる。
【００７４】
表４は本発明の第２の実施形態における電機子巻線の発生電圧の平衡度を示すものである。ただし、本実施形態では平衡度は巻線ピッチによって変化するため、表４では３０／３６（８３．３３％）の巻線ピッチの場合を示している。
【表４】
2010252438.tif 000006
【００７５】
本発明の第２の実施形態における電機子巻線では、表４に示すように電圧の大きさの偏差（ｐ．ｕ．電圧の１．０よりの偏差）は最大で０．２０％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【００７６】
また、表５は本発明の第２の実施形態における巻線ピッチによる電圧の大きさの偏差、位相角の偏差の最大値の変化を示すものである。巻線ピッチが３１／３６以下の実用的な巻線ピッチの範囲内では平衡度は、ルドルフ・ヘイバーマンの特許による基準値である、電圧の大きさの偏差で０．４％、位相角の偏差を０．１５度以内という基準を満足している。
【表５】
2010252438.tif 000007
【００７７】
以上のように本発明の第２の実施形態においては、巻線ピッチが３１／３６以下の実用的な巻線ピッチの範囲内で、並列回路毎の電圧について前述のルドルフ・ヘイバーマンの特許による基準値を満足する平衡度を実現でき、循環電流を低減することができる。
【００７８】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【００７９】
（第３の実施形態）（請求項６，７，８対応）
図３は本発明の第３の実施形態における回転電機の電機子巻線の１相分を示す展開模式図である。
【００８０】
図３に示すように回転電機の電機子１１は、積層鉄心よりなる電機子鉄心１２に７２個のスロット１３を設けてあり、２極３相６並列回路の電機子巻線はスロット１３に２層に納められている。
【００８１】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【００８２】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【００８３】
各相の電機子巻線１４はそれぞれ６つの並列回路を有しており、この各並列回路に図示したように○の中に１，２，３，４，５，６という回路番号をつけて識別している。
【００８４】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【００８５】
図３において、各相帯１７，１８の接続側コイルエンド１９ａに８本／相のジャンパ線２０ａを、反接続側コイルエンド１９ｂに１２本／相帯のジャンパ線２０ｂを設けることにより、相帯内の上下コイル片１５，１６の相対位置を極中心からの位置によって表した場合に、各並列回路の上下コイル片１５，１６の位置は表６のようになる。
【表６】
2010252438.tif 000008
【００８６】
表６に示すように、第１及び第４の並列回路の各４個の上下コイル片１５，１６を極中心から２，５，１１，１２番目の位置にそれぞれ配置し、上記第２及び第５の並列回路の各４個の上下コイル片１５，１６については、極中心から１，６，９，１０番目の位置にそれぞれ配置し、上記第３及び第６の並列回路の各４個の上下コイル片１５，１６については極中心から３，４，７，８番目の位置にそれぞれ配置されている。
【００８７】
これにより、第１の相帯１７における上下コイル片１５、１６の回路番号が極中心側から順に２，１，３，３，１，２，３，３，２，２，１，１となり、第２の相帯１８における上下コイル片１５、１６の回路番号が極中心側から順に５，４，６，６，４，５，６，６，５，５，４，４となる。
【００８８】
表７は本発明の第３の実施形態における電機子巻線の発生電圧の平衡度を示すものである。ただし、本実施形態では、平衡度は巻線ピッチによって変化するため、表７では３０／３６（８３．３３％）の巻線ピッチの場合を示している。
【表７】
2010252438.tif 000009
【００８９】
本発明の第３の実施形態における電機子巻線では、表７に示すように電圧の大きさの偏差（ｐ．ｕ．電圧の１．０よりの偏差）は最大で０．２０％、位相角の偏差が０．００度と、ルドルフ・ヘイバーマンの特許による基準値である、電圧の大きさの偏差で０．４％、位相角の偏差を０．１５度以内という基準を満足し、また、第１の実施形態を上回る電圧平衡度を実現していることがわかる。
【００９０】
また、表８は本発明の第３の実施形態における巻線ピッチによる電圧の大きさの偏差、位相角の偏差の最大値の変化を示すものである。巻線ピッチが３０／３６または３１／３６の場合では平衡度は、ルドルフ・ヘイバーマンの特許による基準値である、電圧の大きさの偏差で０．４％、位相角の偏差を０．１５度以内という基準を満足している。
【表８】
2010252438.tif 000010
【００９１】
以上のように本発明の第３の実施形態においては、巻線ピッチが３０／３６または３１／３６の場合に、並列回路毎の電圧について前述のルドルフ・ヘイバーマンの特許による基準値を満足する平衡度を実現でき、循環電流を低減することができる。
【００９２】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【００９３】
（第４の実施の形態）（請求項９，１０，１１対応）
図４は、本発明の第４の実施形態における回転電機の電機子巻線の１相分を示す展開模式図である。
【００９４】
図４に示すように回転電機の電機子１１は、積層鉄心よりなる電機子鉄心１２に７２個のスロット１３を設けてあり、２極３相６並列回路の電機子巻線は各スロット１３に２層に納められている。
【００９５】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【００９６】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【００９７】
各相の電機子巻線は、それぞれ６つの並列回路を有しており、この各並列回路に図示したように○の中に１，２，３，４，５，６という回路番号をつけて識別している。
【００９８】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【００９９】
図４において、各相帯１７，１８の接続側コイルエンド１９ａに８本／相のジャンパ線２０ａを、反接続側コイルエンド１９ｂに８本／相のジャンパ線２０ｂを設けることにより、相帯内の上下コイル片１５，１６の相対位置を極中心からの位置によって表した場合に、各並列回路の上下コイル片１５，１６の位置は表９のようになる。
【表９】
2010252438.tif 000011
【０１００】
表９に示すように、第１及び第４の並列回路の各４個の上下コイル片１５，１６を極中心から３，４，１１，１２番目の位置にそれぞれ配置し、上記第２及び第５の並列回路の各４個の上下コイル片１５，１６については、極中心から１，６，９，１０番目の位置にそれぞれ配置し、上記第３及び第６の並列回路の各４個の上下コイル片１５，１６については極中心から２，５，７，８番目の位置にそれぞれ配置されている。
【０１０１】
これにより、第１の相帯１７における上下コイル片１５、１６の回路番号が極中心側から順に２，３，１，１，３，２，３，３，２，２，１，１となり、第２の相帯１８における上下コイル片１５、１６の回路番号が極中心側から順に５，６，４，４，６，５，６，６，５，５，４，４となる。
【０１０２】
表１０は本発明の第４の実施形態における電機子巻線の発生電圧の平衡度を示すものである。ただし、本実施形態では平衡度は巻線ピッチによって変化するため、表１０では３０／３６（８３．３３％）の巻線ピッチの場合を示している。
【表１０】
2010252438.tif 000012
【０１０３】
本発明の第４の実施形態における電機子巻線では、表１０に示すように電圧の大きさの偏差（ｐ．ｕ．電圧の１．０よりの偏差）は最大で０．２０％、位相角の偏差が０．００度と、ルドルフ・ヘイバーマンの特許による基準値である、電圧の大きさの偏差で０．４％、位相角の偏差を０．１５度以内という基準を満足し、また、第１の実施形態を上回る電圧平衡度を実現していることがわかる。
【０１０４】
また、表１１は本発明の第４の実施形態における巻線ピッチによる電圧の大きさの偏差、位相角の偏差の最大値の変化を示すものである。巻線ピッチが２９／３６または３０／３６の場合では平衡度は、ルドルフ・ヘイバーマンの特許による基準値である、電圧の大きさの偏差で０．４％、位相角の偏差を０．１５度以内という基準を満足している。
【表１１】
2010252438.tif 000013
【０１０５】
以上のように本発明の第４の実施形態においては、巻線ピッチが２９／３６または３０／３６の場合に、並列回路毎の電圧について前述のルドルフ・ヘイバーマンの特許による基準値を満足する平衡度を実現でき、循環電流を低減することができる。
【０１０６】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０１０７】
（第５の実施形態）（請求項１２，１３，１４対応）
図５は、本発明の第５の実施形態における回転電機の電機子巻線の１相分の展開模式図である。
【０１０８】
図５に示すように回転電機の電機子１１は、積層鉄心よりなる電機子鉄心１２に７２個のスロット１３を設けてあり、２極３相６並列回路の電機子巻線はスロット１３に２層に納められている。
【０１０９】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０１１０】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０１１１】
各相の電機子巻線は、それぞれ６つの並列回路を有しており、この各並列回路に図示したように○の中に１，２，３，４，５，６という回路番号をつけて識別している。
【０１１２】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０１１３】
図５において、各相帯１７，１８の接続側コイルエンド１９ａに８本／相のジャンパ線２０ａを、反接続側コイルエンド１９ｂに１８本／相のジャンパ線２０ｂを設けることにより、相帯内の上下コイル片１５，１６の相対位置を極中心からの位置によって表した場合に、各並列回路の上下コイル片１５，１６の位置は表１２のようになる。
【表１２】
2010252438.tif 000014
【０１１４】
表１２に示すように第１及び第４の並列回路の各４個の上下コイル片１５，１６を極中心から３，４，８，１２番目の位置にそれぞれ配置し、上記第２及び第５の並列回路の各４個の上下コイル片１５，１６については、極中心から２，５，７，１１番目の位置にそれぞれ配置し、上記第３及び第６の並列回路の各４個の上下コイル片１５，１６については極中心から１，６，９，１０番目の位置にそれぞれ配置している。
【０１１５】
これにより、第１の相帯１７における上下コイル片１５、１６の回路番号が極中心側から順に３，２，１，１，２，３，２，１，３，３，２，１となり、第２の相帯１８における上下コイル片１５、１６の回路番号が極中心側から順に６，５，４，４，５，６，５，４，６，６，５，４となる。
【０１１６】
表１３は本発明の第５の実施形態における電機子巻線の発生電圧の平衡度を示すものである。ただし、本実施形態では平衡度は巻線ピッチによって変化するため、表１３では３０／３６（８３．３３％）の巻線ピッチの場合を示している。
【表１３】
2010252438.tif 000015
【０１１７】
本発明の第５の実施形態における電機子巻線では、表１３に示すように電圧の大きさの偏差（ｐ．ｕ．電圧の１．０よりの偏差）は最大で０．２０％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０１１８】
また、表１４は本発明の第５の実施形態における巻線ピッチによる電圧の大きさの偏差、位相角の偏差の最大値の変化を示すものである。表に示さない巻線ピッチも含めて巻線ピッチが２８／３６〜３５／３６の範囲内の場合では平衡度は、ルドルフ・ヘイバーマンの特許による基準値である、電圧の大きさの偏差で０．４％、位相角の偏差を０．１５度以内という基準を満足している。
【表１４】
2010252438.tif 000016
【０１１９】
以上のように本発明の第５の実施形態においては、巻線ピッチが２８／３６〜３５／３６の場合に、並列回路毎の電圧について前述のルドルフ・ヘイバーマンの特許による基準値を満足する平衡度を実現でき、循環電流を低減することができる。
【０１２０】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０１２１】
（第６の実施の形態）（請求項１５，１６，１７対応）
図６は本発明の第６の実施形態における回転電機の電機子巻線の１相分を示す展開模式図である。
【０１２２】
図６に示すように回転電機の電機子１１は、積層鉄心よりなる電機子鉄心１２に７２個のスロット１３を設けてあり、２極３相６並列回路の電機子巻線はスロット１３に２層に納められている。
【０１２３】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０１２４】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０１２５】
各相の電機子巻線はそれぞれ６つの並列回路を有しており、この各並列回路に図示したように○の中に１，２，３，４，５，６という回路番号をつけて識別している。
【０１２６】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０１２７】
図６において、各相帯１７，１８の接続側コイルエンド１９ａに６本／相のジャンパ線２０ａを、反接続側コイルエンド１９ｂに１６本／相帯のジャンパ線２０ｂを設けることにより、相帯内の上下コイル片１５，１６の相対位置を極中心からの位置によって表した場合に、各並列回路の上下コイル片１５，１６の位置は表１５のようになる。
【表１５】
2010252438.tif 000017
【０１２８】
表1５に示すように、第１及び第４の並列回路の各４個の上下コイル片１５，１６を極中心から１，８，１１，１２番目の位置にそれぞれ配置し、上記第２及び第５の並列回路の各４個の上下コイル片１５，１６については、極中心から３，４，６，１０番目の位置にそれぞれ配置し、上記第３及び第６の並列回路の各４個の上下コイル片１５，１６については極中心から２，５，７，９番目の位置にそれぞれ配置している。
【０１２９】
これにより、第１の相帯１７における上下コイル片１５、１６の回路番号が極中心側から順に１，３，２，２，３，２，３，１，３，２，１，１となり、第２の相帯１８における上下コイル片１５、１６の回路番号が極中心側から順に４，６，５，５，６，５，６，４，６，５，４，４となる。
【０１３０】
表１６は、本発明の第６の実施形態における電機子巻線の発生電圧の平衡度を示すものである。ただし、本実施形態では平衡度は巻線ピッチによって変化するため、表１６では３０／３６（８３．３３％）の巻線ピッチの場合を示している。
【表１６】
2010252438.tif 000018
【０１３１】
本発明の第６の実施形態における電機子巻線では、表１６に示すように電圧の大きさの偏差（ｐ．ｕ．電圧の１．０よりの偏差）は最大で０．２１％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０１３２】
また、表１７は本発明の第６の実施形態における巻線ピッチによる電圧の大きさの偏差、位相角の偏差の最大値の変化を示すものである。表より巻線ピッチが３０／３６の場合に限り、平衡度がルドルフ・ヘイバーマンの特許による基準値である、電圧の大きさの偏差で０．４％、位相角の偏差を０．１５度以内という基準を満足している。
【表１７】
2010252438.tif 000019
【０１３３】
以上のように本発明の第６の実施形態においては、巻線ピッチが３０／３６の場合に並列回路毎の電圧について前述のルドルフ・ヘイバーマンの特許による基準値を満足する平衡度を実現でき、循環電流を低減することができる。
【０１３４】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０１３５】
（第７の実施の形態）（請求項１８，１９，２０対応）
図７は、本発明の第７の実施形態における回転電機の電機子巻線の１相分を示す展開模式図である。
【０１３６】
図７に示すように回転電機の電機子１１は、積層鉄心よりなる電機子鉄心１２に７２個のスロット１３が設けてあり、２極３相６並列回路の電機子巻線はこれら各スロット１３に２層に納められている。
【０１３７】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０１３８】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０１３９】
各相の電機子巻線は、それぞれ６つの並列回路を有しており、この各並列回路に図示したように○の中に１，２，３，４，５，６という回路番号をつけて識別している。
【０１４０】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０１４１】
図７において、各相帯１７，１８の接続側コイルエンド１９ａに２本／相のジャンパ線２０ａを、反接続側コイルエンド１９ｂに１２本／相のジャンパ線２０ｂを設けることにより、相帯内の上下コイル片１５，１６の相対位置を極中心からの位置によって表した場合に、各並列回路の上下コイル片１５，１６の位置は表１８のようになる。
【表１８】
2010252438.tif 000020
【０１４２】
表１８に示すように、第１及び第４の並列回路の各４個の上下コイル片１５，１６を極中心から１，８，１１，１２番目の位置にそれぞれ配置し、上記第２及び第５の並列回路の各４個の上下コイル片１５，１６については、極中心から２，５，７，１０番目の位置にそれぞれ配置し、上記第３及び第６の並列回路の各４個の上下コイル片１５，１６については極中心から３，４，６，９番目の位置にそれぞれ配置して構成されている。
【０１４３】
これにより、第１の相帯１７における上下コイル片１５、１６の回路番号が極中心側から順に１，２，３，３，２，３，２，１，３，２，１，１となり、第２の相帯１８における上下コイル片１５、１６の回路番号が極中心側から順に４，５，６，６，５，６，５，４，６，５，４，４となる。
【０１４４】
表１９は本発明の第７の実施形態における電機子巻線の発生電圧の平衡度を示すものである。ただし、本実施形態では平衡度は巻線ピッチによって変化するため、表１９では３０／３６（８３．３３％）の巻線ピッチの場合を示している。
【表１９】
2010252438.tif 000021
【０１４５】
本発明の第７の実施形態における電機子巻線では、表１９に示すように電圧の大きさの偏差（ｐ．ｕ．電圧の１．０よりの偏差）は最大で０．２１％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０１４６】
また、表２０は本発明の第７の実施形態における巻線ピッチによる電圧の大きさの偏差、位相角の偏差の最大値の変化を示すものである。表より巻線ピッチが３０／３６の場合に限り、平衡度がルドルフ・ヘイバーマンの特許による基準値である、電圧の大きさの偏差で０．４％、位相角の偏差を０．１５度以内という基準を満足している。
【表２０】
2010252438.tif 000022
【０１４７】
以上のように本発明の第７の実施形態においては、巻線ピッチが３０／３６の場合に並列回路毎の電圧について前述のルドルフ・ヘイバーマンの特許による基準値を満足する平衡度を実現でき、循環電流を低減することができる。
【０１４８】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０１４９】
（第８の実施形態）（請求項２１，２２，２３対応）
図８は、本発明の第８の実施形態における回転電機の電機子巻線の１相分を示す展開模式図である。
【０１５０】
図８に示すように回転電機の電機子１１は、積層鉄心よりなる電機子鉄心１２に７２個のスロット１３を設けてあり、２極３相６並列回路の電機子巻線はスロット１３に２層に納められている。
【０１５１】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０１５２】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０１５３】
各相の電機子巻線はそれぞれ６つの並列回路を有しており、この各並列回路に図示したように○の中に１，２，３，４，５，６という回路番号をつけて識別している。
【０１５４】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０１５５】
図８において、各相帯１７，１８の接続側コイルエンド１９ａに８本／相のジャンパ線２０ａを、反接続側コイルエンド１９ｂに１６本／相のジャンパ線２０ｂを設けることにより、相帯内の上下コイル片１５，１６の相対位置を極中心からの位置によって表した場合に、各並列回路の上下コイル片１５，１６の位置は表２１のようになる。
【表２１】
2010252438.tif 000023
【０１５６】
表２１に示すように、第１及び第４の並列回路の各４個の上下コイル片１５，１６を極中心から２，５，９，１２番目の位置にそれぞれ配置し、上記第２及び第５の並列回路の各４個の上下コイル片１５，１６については、極中心から１，７，８，１１番目の位置にそれぞれ配置し、上記第３及び第６の並列回路の各４個の上下コイル片１５，１６については極中心から３，４，６，１０番目の位置にそれぞれ配置している。
【０１５７】
これにより、第１の相帯１７における上下コイル片１５、１６の回路番号が極中心側から順に２，１，３，３，１，３，２，２，１，３，２，１となり、第２の相帯１８における上下コイル片１５、１６の回路番号が極中心側から順に５，４，６，６，４，６，５，５，４，６，５，４となる。
【０１５８】
表２２は本発明の第８の実施形態における電機子巻線の発生電圧の平衡度を示すものである。ただし、本実施形態では平衡度は巻線ピッチによって変化するため、表２２では３０／３６（８３．３３％）の巻線ピッチの場合を示している。
【表２２】
2010252438.tif 000024
【０１５９】
本発明の第８の実施形態における電機子巻線では、表２２に示すように電圧の大きさの偏差（ｐ．ｕ．電圧の１．０よりの偏差）は最大で０．２１％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０１６０】
また、表２３は本発明の第８の実施形態における巻線ピッチによる電圧の大きさの偏差、位相角の偏差の最大値の変化を示すものである。表より巻線ピッチが３０／３６または３１／３６の場合に、平衡度がルドルフ・ヘイバーマンの特許による基準値である、電圧の大きさの偏差で０．４％、位相角の偏差を０．１５度以内という基準を満足している。
【表２３】
2010252438.tif 000025
【０１６１】
以上のように本発明の第８の実施形態においては、巻線ピッチが３０／３６または３１／３６の場合に、並列回路毎の電圧について前述のルドルフ・ヘイバーマンの特許による基準値を満足する平衡度を実現でき、循環電流を低減することができる。
【０１６２】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０１６３】
（第９の実施形態）（請求項２４，２５，２６対応）
図９は本発明の第９の実施形態における回転電機の電機子巻線の１相分を示す展開模式図である。
【０１６４】
図９に示すように回転電機の電機子１１積層鉄心よりなる電機子鉄心１２に７２個のスロット１３を設けてあり、２極３相６並列回路の電機子巻線１４はスロット１３に２層に納められている。
【０１６５】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０１６６】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０１６７】
各相の電機子巻線はそれぞれ６つの並列回路を有しており、この各並列回路に図示したように○の中に１，２，３，４，５，６という回路番号をつけて識別している。
【０１６８】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０１６９】
図９において、各相帯１７，１８の接続側コイルエンド１９ａに４本／相のジャンパ線２０ａを、反接続側コイルエンド１９ｂに１６本／相帯のジャンパ線２０ｂを設けることにより、相帯内の上下コイル片１５，１６の相対位置を極中心からの位置によって表した場合に、各並列回路の上下コイル片１５，１６の位置は表２４のようになる。
【表２４】
2010252438.tif 000026
【０１７０】
表２４に示すように、第１及び第４の並列回路の各４個の上下コイル片１５，１６を極中心から２，５，１０，１２番目の位置にそれぞれ配置し、上記第２及び第５の並列回路の各４個の上下コイル片１５，１６については、極中心から１，７，８，１１番目の位置にそれぞれ配置し、上記第３及び第６の並列回路の各４個の上下コイル片１５，１６については極中心から３，４，６，９番目の位置にそれぞれ配置している。
【０１７１】
これにより、第１の相帯１７における上下コイル片１５、１６の回路番号が極中心側から順に２，１，３，３，１，３，２，２，３，１，２，１となり、第２の相帯１８における上下コイル片１５、１６の回路番号が極中心側から順に５，４，６，６，４，６，５，５，６，４，５，４となる。
【０１７２】
表２５は本発明の第９の実施形態における電機子巻線の発生電圧の平衡度を示すものである。ただし、本実施形態では平衡度は巻線ピッチによって変化するため、表２５では３０／３６（８３．３３％）の巻線ピッチの場合を示している。
【表２５】
2010252438.tif 000027
【０１７３】
本発明の第９の実施形態における電機子巻線では、表２５に示すように電圧の大きさの偏差（ｐ．ｕ．電圧の１．０よりの偏差）は最大で０．２１％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０１７４】
また、表２６は本発明の第９の実施形態における巻線ピッチによる電圧の大きさの偏差、位相角の偏差の最大値の変化を示すものである。表より巻線ピッチが３０／３６または３１／３６の場合に、平衡度がルドルフ・ヘイバーマンの特許による基準値である、電圧の大きさの偏差で０．４％、位相角の偏差を０．１５度以内という基準を満足している。
【表２６】
2010252438.tif 000028
【０１７５】
以上のように本発明の第９の実施形態においては、巻線ピッチが３０／３６または３１／３６の場合に、並列回路毎の電圧について前述のルドルフ・ヘイバーマンの特許による基準値を満足する平衡度を実現でき、循環電流を低減することができる。
【０１７６】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０１７７】
（第１０の実施形態）（請求項２７，２８，２９対応）
図１０は、本発明の第１０の実施形態における回転電機の電機子巻線の１相分を示す展開模式図である。
【０１７８】
図１０に示すように回転電機の電機子１１は、積層鉄心よりなる電機子鉄心１２に７２個のスロット１３を設けてあり、２極３相６並列回路の電機子巻線はこれら各スロット１３に２層に納められている。
【０１７９】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０１８０】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０１８１】
各相の電機子巻線はそれぞれ６つの並列回路を有しており、この各並列回路に図示したように○の中に１，２，３，４，５，６という回路番号をつけて識別している。
【０１８２】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０１８３】
図１０において、各相帯１７，１８の接続側コイルエンド１９ａに４本／相のジャンパ線２０ａを、反接続側コイルエンド１９ｂに１６本／相のジャンパ線２０ｂを設けることにより、相帯内の上下コイル片１５，１６の相対位置を極中心からの位置によって表した場合に、各並列回路の上下コイル片１５，１６の位置は表２７のようになる。
【表２７】
2010252438.tif 000029
【０１８４】
表２７に示すように、第１及び第４の並列回路の各４個の上下コイル片１５，１６を極中心から２，５，１０，１２番目の位置にそれぞれ配置し、上記第２及び第５の並列回路の各４個の上下コイル片１５，１６については、極中心から３，４，７，１１番目の位置にそれぞれ配置し、上記第３及び第６の並列回路の各４個の上下コイル片１５，１６については極中心から１，６，８，９番目の位置にそれぞれ配置して構成されている。
【０１８５】
これにより、第１の相帯１７における上下コイル片１５、１６の回路番号が極中心側から順に３，１，２，２，１，３，２，３，３，１，２，１となり、第２の相帯１８における上下コイル片１５、１６の回路番号が極中心側から順に６，４，５，５，４，６，５，６，６，４，５，４となる。
【０１８６】
表２８は本発明の第１０の実施形態における電機子巻線の発生電圧の平衡度を示すものである。ただし、本実施形態では平衡度は巻線ピッチによって変化するため、表２８では３０／３６（８３．３３％）の巻線ピッチの場合を示している。
【表２８】
2010252438.tif 000030
【０１８７】
本発明の第１０の実施形態における電機子巻線では、表２８に示すように電圧の大きさの偏差（ｐ．ｕ．電圧の１．０よりの偏差）は最大で０．２５％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０１８８】
また、表２９は本発明の第１０の実施形態における巻線ピッチによる電圧の大きさの偏差、位相角の偏差の最大値の変化を示すものである。表より巻線ピッチが３０／３６または３１／３６の場合に、平衡度がルドルフ・ヘイバーマンの特許による基準値である、電圧の大きさの偏差で０．４％、位相角の偏差を０．１５度以内という基準を満足している。
【表２９】
2010252438.tif 000031
【０１８９】
以上のように本発明の第１０の実施形態においては、巻線ピッチが３０／３６または３１／３６の場合に、並列回路毎の電圧について前述のルドルフ・ヘイバーマンの特許による基準値を満足する平衡度を実現でき、循環電流を低減することができる。
【０１９０】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０１９１】
（第１１の実施の形態）（請求項３０，３１，３２対応）
図１１は、本発明の第１１の実施形態における回転電機の電機子巻線の１相分を示す展開模式図である。
【０１９２】
図１１に示すように回転電機の電機子１１は、積層鉄心よりなる電機子鉄心１２に７２個のスロット１３を設けてあり、２極３相６並列回路の電機子巻線はスロット１３に２層に納められている。
【０１９３】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０１９４】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０１９５】
各相の電機子巻線はそれぞれ６つの並列回路を有しており、この各並列回路に図示したように○の中に１，２，３，４，５，６という回路番号をつけて識別している。
【０１９６】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０１９７】
図１１において、各相帯１７，１８の接続側コイルエンド１９ａに２本／相のジャンパ線２０ａを、反接続側コイルエンド１９ｂに１８本／相のジャンパ線２０ｂを設けることにより、相帯内の上下コイル片１５，１６の相対位置を極中心からの位置によって表した場合に、各並列回路の上下コイル片１５，１６の位置は表３０のようになる。
【表３０】
2010252438.tif 000032
【０１９８】
表３０に示すように、第１及び第４の並列回路の各４個の上下コイル片１５，１６を極中心から２，５，９，１２番目の位置にそれぞれ配置し、上記第２及び第５の並列回路の各４個の上下コイル片１５，１６については、極中心から３，４，７，１１番目の位置にそれぞれ配置し、上記第３及び第６の並列回路の各４個の上下コイル片１５，１６については極中心から１，６，８，１０番目の位置にそれぞれ配置している。
【０１９９】
これにより、第１の相帯１７における上下コイル片１５、１６の回路番号が極中心側から順に３，１，２，２，１，３，２，３，１，３，２，１となり、第２の相帯１８における上下コイル片１５、１６の回路番号が極中心側から順に６，４，５，５，４，６，５，６，４，６，５，４となる。
【０２００】
表３１は本発明の第１１の実施形態における電機子巻線の発生電圧の平衡度を示すものである。ただし、本実施形態では平衡度は巻線ピッチによって変化するため、表３１では３０／３６（８３．３３％）の巻線ピッチの場合を示している。
【表３１】
2010252438.tif 000033
【０２０１】
本発明の第１１の実施形態における電機子巻線では、表３１に示すように電圧の大きさの偏差（ｐ．ｕ．電圧の１．０よりの偏差）は最大で０．２５％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０２０２】
また、表３２は本発明の第１１の実施形態における巻線ピッチによる電圧の大きさの偏差、位相角の偏差の最大値の変化を示すものである。表より巻線ピッチが２９／３６〜３１／３６の範囲にある場合に、平衡度がルドルフ・ヘイバーマンの特許による基準値である、電圧の大きさの偏差で０．４％、位相角の偏差を０．１５度以内という基準を満足している。
【表３２】
2010252438.tif 000034
【０２０３】
以上のように本発明の第１１の実施形態においては、巻線ピッチが２９／３６〜３１／３６の範囲にある場合に、並列回路毎の電圧について前述のルドルフ・ヘイバーマンの特許による基準値を満足する平衡度を実現でき、循環電流を低減することができる。
【０２０４】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０２０５】
（第１２の実施の形態）（請求項３３，３４，３５対応）
図１２は、本発明の第１２の実施形態における回転電機の電機子巻線の１相分を示す展開模式図である。
【０２０６】
図１２に示すように回転電機の電機子１１は、積層鉄心よりなる電機子鉄心１２に７２個のスロット１３を設けてあり、２極３相６並列回路の電機子巻線１４はスロット１３に２層に納められている。
【０２０７】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０２０８】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０２０９】
各相の電機子巻線はそれぞれ６つの並列回路を有しており、この各並列回路に図示したように○の中に１，２，３，４，５，６という回路番号をつけて識別している。
【０２１０】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０２１１】
図１２において、各相帯１７，１８の接続側コイルエンド１９ａに４本／相のジャンパ線２０ａを、反接続側コイルエンド１９ｂに１６本／相のジャンパ線２０ｂを設けることにより、相帯内の上下コイル片１５，１６の相対位置を極中心からの位置によって表した場合に、各並列回路の上下コイル片１５，１６の位置は表３３のようになる。
【表３３】
2010252438.tif 000035
【０２１２】
表３３に示すように、第１及び第４の並列回路の各４個の上下コイル片１５，１６を極中心から２，５，１０，１２番目の位置にそれぞれ配置し、上記第２及び第５の並列回路の各４個の上下コイル片１５，１６については、極中心から１，６，９，１１番目の位置にそれぞれ配置し、上記第３及び第６の並列回路の各４個の上下コイル片１５，１６については極中心から３，４，７，８番目の位置にそれぞれ配置して構成されている。
【０２１３】
これにより、第１の相帯１７における上下コイル片１５、１６の回路番号が極中心側から順に２，１，３，３，１，２，３，３，２，１，２，１となり、第２の相帯１８における上下コイル片１５、１６の回路番号が極中心側から順に５，４，６，６，４，５，６，６，５，４，５，４となる。
【０２１４】
表３４は本発明の第１２の実施形態における電機子巻線の発生電圧の平衡度を示すものである。ただし、本実施形態では平衡度は巻線ピッチによって変化するため、表３４では３０／３６（８３．３３％）の巻線ピッチの場合を示している。
【表３４】
2010252438.tif 000036
【０２１５】
本発明の第１２の実施形態における電機子巻線では、表３４に示すように電圧の大きさの偏差（ｐ．ｕ．電圧の１．０よりの偏差）は最大で０．２５％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０２１６】
また、表３５は本発明の第１２の実施形態における巻線ピッチによる電圧の大きさの偏差、位相角の偏差の最大値の変化を示すものである。表より巻線ピッチが２９／３６または３０／３６である場合に、平衡度がルドルフ・ヘイバーマンの特許による基準値である、電圧の大きさの偏差で０．４％、位相角の偏差を０．１５度以内という基準を満足している。
【表３５】
2010252438.tif 000037
【０２１７】
以上のように本発明の第１２の実施形態においては、巻線ピッチが２９／３６または３０／３６である場合に、並列回路毎の電圧について前述のルドルフ・ヘイバーマンの特許による基準値を満足する平衡度を実現でき、循環電流を低減することができる。
【０２１８】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０２１９】
（第１３の実施の形態）（請求項３６，３７，３８対応）
図１３は本発明の第１３の実施形態における回転電機の電機子巻線の１相分を示す展開模式図である。
【０２２０】
図１３に示すように回転電機の電機子１１積層鉄心よりなる電機子鉄心１２に７２個のスロット１３を設けてあり、２極３相６並列回路の電機子巻線はスロット１３に２層に納められている。
【０２２１】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０２２２】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０２２３】
各相の電機子巻線はそれぞれ６つの並列回路を有しており、この各並列回路に図示したように○の中に１，２，３，４，５，６という回路番号をつけて識別している。
【０２２４】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０２２５】
図１３において、各相帯１７，１８の接続側コイルエンド１９ａに４本／相のジャンパ線２０ａを、反接続側コイルエンド１９ｂに２０本／相帯のジャンパ線２０ｂを設けることにより、相帯内の上下コイル片１５，１６の相対位置を極中心からの位置によって表した場合に、各並列回路の上下コイル片１５，１６の位置は表３６のようになる。
【表３６】
2010252438.tif 000038
【０２２６】
表３６に示すように、第１及び第４の並列回路の各４個の上下コイル片１５，１６を極中心から３，４，１１，１２番目の位置にそれぞれ配置し、上記第２及び第５の並列回路の各４個の上下コイル片１５，１６については、極中心から２，５，７，１０番目の位置にそれぞれ配置し、上記第３及び第６の並列回路の各４個の上下コイル片１５，１６については極中心から３，４，８，９番目の位置にそれぞれ配置している。
【０２２７】
これにより、第１の相帯１７における上下コイル片１５、１６の回路番号が極中心側から順に３，２，１，１，２，３，２，３，３，２，１，１となり、第２の相帯１８における上下コイル片１５、１６の回路番号が極中心側から順に６，５，４，４，５，６，５，６，６，５，４，４となる。
【０２２８】
表３７は本発明の第１３の実施形態における電機子巻線の発生電圧の平衡度を示すものである。ただし、本実施形態では平衡度は巻線ピッチによって変化するため、表３７では３０／３６（８３．３３％）の巻線ピッチの場合を示している。
【表３７】
2010252438.tif 000039
【０２２９】
本発明の第１３の実施形態における電機子巻線では、表３７に示すように電圧の大きさの偏差（ｐ．ｕ．電圧の１．０よりの偏差）は最大で０．２５％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０２３０】
また、表３８は本発明の第１３の実施形態における巻線ピッチによる電圧の大きさの偏差、位相角の偏差の最大値の変化を示すものである。表より巻線ピッチが３０／３６または３１／３６の場合に、平衡度がルドルフ・ヘイバーマンの特許による基準値である、電圧の大きさの偏差で０．４％、位相角の偏差を０．１５度以内という基準を満足している。
【表３８】
2010252438.tif 000040
【０２３１】
以上のように本発明の第１３の実施形態においては、巻線ピッチが３０／３６または３１／３６である場合に、並列回路毎の電圧について前述のルドルフ・ヘイバーマンの特許による基準値を満足する平衡度を実現でき、循環電流を低減することができる。
【０２３２】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０２３３】
（第１４の実施の形態）（請求項３９，４０，４１対応）
図１４は、本発明の第１４の実施形態における回転電機の電機子巻線の１相分を示す展開模式図である。
【０２３４】
図１４に示すように回転電機の電機子１１は、積層鉄心よりなる電機子鉄心１２に７２個のスロット１３を設けてあり、２極３相６並列回路の電機子巻線１４はスロット１３に２層に納められている。
【０２３５】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０２３６】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０２３７】
各相の電機子巻線はそれぞれ６つの並列回路を有しており、この各並列回路に図示したように○の中に１，２，３，４，５，６という回路番号をつけて識別している。
【０２３８】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０２３９】
図１４において、各相帯１７，１８の接続側コイルエンド１９ａに４本／相のジャンパ線２０ａを、反接続側コイルエンド１９ｂに１４本／相帯のジャンパ線２０ｂを設けることにより、相帯内の上下コイル片１５，１６の相対位置を極中心からの位置によって表した場合に、各並列回路の上下コイル片１５，１６の位置は表３９のようになる。
【表３９】
2010252438.tif 000041
【０２４０】
表３９に示すように、第１及び第４の並列回路の各４個の上下コイル片１５，１６を極中心から２，５，９，１２番目の位置にそれぞれ配置し、上記第２及び第５の並列回路の各４個の上下コイル片１５，１６については、極中心から１，６，１０，１１番目の位置にそれぞれ配置し、上記第３及び第６の並列回路の各４個の上下コイル片１５，１６については極中心から３，４，７，８番目の位置にそれぞれ配置している。
【０２４１】
これにより、第１の相帯１７における上下コイル片１５、１６の回路番号が極中心側から順に２，１，３，３，１，２，３，３，１，２，２，１となり、第２の相帯１８における上下コイル片１５、１６の回路番号が極中心側から順に５，４，６，６，４，５，６，６，４，５，５，４となる。
【０２４２】
表４０は本発明の第１４の実施形態における電機子巻線の発生電圧の平衡度を示すものである。ただし、本実施形態では平衡度は巻線ピッチによって変化するため、表４０では３０／３６（８３．３３％）の巻線ピッチの場合を示している。
【表４０】
2010252438.tif 000042
【０２４３】
本発明の第１４の実施形態における電機子巻線では、表４０に示すように電圧の大きさの偏差（ｐ．ｕ．電圧の１．０よりの偏差）は最大で０．２５％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０２４４】
また、表４１は本発明の第１４の実施形態における巻線ピッチによる電圧の大きさの偏差、位相角の偏差の最大値の変化を示すものである。表より巻線ピッチが２９／３６または３０／３６である場合に、平衡度がルドルフ・ヘイバーマンの特許による基準値である、電圧の大きさの偏差で０．４％、位相角の偏差を０．１５度以内という基準を満足している。
【表４１】
2010252438.tif 000043
【０２４５】
以上のように本発明の第１４の実施形態においては、巻線ピッチが２９／３６または３０／３６である場合に、並列回路毎の電圧について前述のルドルフ・ヘイバーマンの特許による基準値を満足する平衡度を実現でき、循環電流を低減することができる。
【０２４６】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０２４７】
（第１５の実施の形態）（請求項４２，４３，４４対応）
図１５は、本発明の第１５の実施形態における回転電機の電機子巻線の１相分を示す展開模式図である。
【０２４８】
図１５に示すように回転電機の電機子１１は、積層鉄心よりなる電機子鉄心１２に７２個のスロット１３を設けてあり、２極３相６並列回路の電機子巻線はこれら各スロット１３に２層に納められている。
【０２４９】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０２５０】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０２５１】
各相の電機子巻線はそれぞれ６つの並列回路を有しており、この各並列回路に図示したように○の中に１，２，３，４，５，６という回路番号をつけて識別している。
【０２５２】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０２５３】
図１５において、各相帯１７，１８の接続側コイルエンド１９ａに１２本／相のジャンパ線２０ａを、反接続側コイルエンド１９ｂに８本／相のジャンパ線２０ｂを設けることにより、相帯内の上下コイル片１５，１６の相対位置を極中心からの位置によって表した場合に、各並列回路の上下コイル片１５，１６の位置は表４２のようになる。
【表４２】
2010252438.tif 000044
【０２５４】
表４２に示すように、第１及び第４の並列回路の各４個の上下コイル片１５，１６を極中心から３，４，８，１２番目の位置にそれぞれ配置し、上記第２及び第５の並列回路の各４個の上下コイル片１５，１６については、極中心から１，６，９，１１番目の位置にそれぞれ配置し、上記第３及び第６の並列回路の各４個の上下コイル片１５，１６については極中心から２，５，７，１０番目の位置にそれぞれ配置している。
【０２５５】
これにより、第１の相帯１７における上下コイル片１５、１６の回路番号が極中心側から順に２，３，１，１，３，２，３，１，２，３，２，１となり、第２の相帯１８における上下コイル片１５、１６の回路番号が極中心側から順に５，６，４，４，６，５，６，４，５，６，５，４となる。
【０２５６】
表４３は本発明の第１５の実施形態における電機子巻線の発生電圧の平衡度を示すものである。ただし、本実施形態では平衡度は巻線ピッチによって変化するため、表４３では３０／３６（８３．３３％）の巻線ピッチの場合を示している。
【表４３】
2010252438.tif 000045
【０２５７】
本発明の第１５の実施形態における電機子巻線では、表４３に示すように電圧の大きさの偏差（ｐ．ｕ．電圧の１．０よりの偏差）は最大で０．２５％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０２５８】
また、表４４は本発明の第１５の実施形態における巻線ピッチによる電圧の大きさの偏差、位相角の偏差の最大値の変化を示すものである。表より巻線ピッチが２８／３６〜３１／３６の範囲内である場合に、平衡度がルドルフ・ヘイバーマンの特許による基準値である、電圧の大きさの偏差で０．４％、位相角の偏差を０．１５度以内という基準を満足している。
【表４４】
2010252438.tif 000046
【０２５９】
以上のように本発明の第１５の実施形態においては、巻線ピッチが２８／３６〜３１／３６の範囲内である場合に、並列回路毎の電圧について前述のルドルフ・ヘイバーマンの特許による基準値を満足する平衡度を実現でき、循環電流を低減することができる。
【０２６０】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０２６１】
（第１６の実施の形態）（請求項４５，４６，４７対応）
図１６は、本発明の第１６の実施形態における回転電機の電機子巻線の１相分を示す展開模式図である。
【０２６２】
図１６に示すように回転電機の電機子１１は、積層鉄心よりなる電機子鉄心１２に７２個のスロット１３を設けてあり、２極３相６並列回路の電機子巻線はスロット１３に２層に納められている。
【０２６３】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０２６４】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０２６５】
各相の電機子巻線はそれぞれ６つの並列回路を有しており、この各並列回路に図示したように○の中に１，２，３，４，５，６という回路番号をつけて識別している。
【０２６６】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０２６７】
図１６において、各相帯１７，１８の接続側コイルエンド１９ａに４本／相のジャンパ線２０ａを、反接続側コイルエンド１９ｂに１８本／相帯のジャンパ線２０ｂを設けることにより、相帯内の上下コイル片１５，１６の相対位置を極中心からの位置によって表した場合に、各並列回路の上下コイル片１５，１６の位置は表４５のようになる。
【表４５】
2010252438.tif 000047
【０２６８】
表４５に示すように、第１及び第４の並列回路の各４個の上下コイル片を極中心から３，４，１１，１２番目の位置にそれぞれ配置し、上記第２及び第５の並列回路の各４個の上下コイル片１５，１６については、極中心から１，６，８，１０番目の位置にそれぞれ配置し、上記第３及び第６の並列回路の各４個の上下コイル片１５，１６については極中心から２，５，７，９番目の位置にそれぞれ配置している。
【０２６９】
これにより、第１の相帯１７における上下コイル片１５、１６の回路番号が極中心側から順に２，３，１，１，３，２，３，２，３，２，１，１となり、第２の相帯１８における上下コイル片１５、１６の回路番号が極中心側から順に５，６，４，４，６，５，６，５，６，５，４，４となる。
【０２７０】
表４６は本発明の第１６の実施形態における電機子巻線の発生電圧の平衡度を示すものである。ただし、本実施形態では平衡度は巻線ピッチによって変化するため、表４６では３０／３６（８３．３３％）の巻線ピッチの場合を示している。
【表４６】
2010252438.tif 000048
【０２７１】
本発明の第１６の実施形態における電機子巻線では、表４６に示すように電圧の大きさの偏差（ｐ．ｕ．電圧の１．０よりの偏差）は最大で０．２５％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０２７２】
また、表４７は本発明の第１６の実施形態における巻線ピッチによる電圧の大きさの偏差、位相角の偏差の最大値の変化を示すものである。表より巻線ピッチが３０／３６または３１／３６である場合に、平衡度がルドルフ・ヘイバーマンの特許による基準値である、電圧の大きさの偏差で０．４％、位相角の偏差を０．１５度以内という基準を満足している。
【表４７】
2010252438.tif 000049
【０２７３】
以上のように本発明の第１６の実施形態においては、巻線ピッチが３０／３６または３１／３６である場合に、並列回路毎の電圧について前述のルドルフ・ヘイバーマンの特許による基準値を満足する平衡度を実現でき、循環電流を低減することができる。
【０２７４】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０２７５】
（第１７の実施の形態）（請求項４８，４９，５０対応）
図１７は、本発明の第１７の実施形態における回転電機の電機子巻線の１相分を示す展開模式図である。
【０２７６】
図１７に示すように回転電機の電機子１１は、積層鉄心よりなる電機子鉄心１２に７２個のスロット１３を設けてあり、２極３相６並列回路の電機子巻線１４はスロット１３に２層に納められている。
【０２７７】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０２７８】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０２７９】
各相の電機子巻線はそれぞれ６つの並列回路を有しており、この各並列回路に図示したように○の中に１，２，３，４，５，６という回路番号をつけて識別している。
【０２８０】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０２８１】
図１７において、各相帯１７，１８の接続側コイルエンド１９ａに６本／相のジャンパ線２０ａを、反接続側コイルエンド１９ｂに１６本／相のジャンパ線２０ｂを設けることにより、相帯内の上下コイル片１５，１６の相対位置を極中心からの位置によって表した場合に、各並列回路の上下コイル片１５，１６の位置は表４８のようになる。
【表４８】
2010252438.tif 000050
【０２８２】
表４８に示すように、第１及び第４の並列回路の各４個の上下コイル片１５，１６を極中心から３，４，８，１２番目の位置にそれぞれ配置し、上記第２及び第５の並列回路の各４個の上下コイル片１５，１６については、極中心から１，６，１０，１１番目の位置にそれぞれ配置し、上記第３及び第６の並列回路の各４個の上下コイル片１５，１６については極中心から２，５，７，９番目の位置にそれぞれ配置して構成されている。
【０２８３】
これにより、第１の相帯１７における上下コイル片１５、１６の回路番号が極中心側から順に２，３，１，１，３，２，３，１，３，２，２，１となり、第２の相帯１８における上下コイル片１５、１６の回路番号が極中心側から順に５，６，４，４，６，５，６，４，６，５，５，４となる。
【０２８４】
表４９は本発明の第１７の実施形態における電機子巻線の発生電圧の平衡度を示すものである。ただし、本実施形態では平衡度は巻線ピッチによって変化するため、表４９では３０／３６（８３．３３％）の巻線ピッチの場合を示している。
【表４９】
2010252438.tif 000051
【０２８５】
本発明の第１７の実施形態における電機子巻線では、表４９に示すように電圧の大きさの偏差（ｐ．ｕ．電圧の１．０よりの偏差）は最大で０．２５％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０２８６】
また、表５０は本発明の第１７の実施形態における巻線ピッチによる電圧の大きさの偏差、位相角の偏差の最大値の変化を示すものである。表より巻線ピッチが２９／３６または３０／３６である場合に、平衡度がルドルフ・ヘイバーマンの特許による基準値である、電圧の大きさの偏差で０．４％、位相角の偏差を０．１５度以内という基準を満足している。
【表５０】
2010252438.tif 000052
【０２８７】
以上のように本発明の第１７の実施形態においては、巻線ピッチが２９／３６または３０／３６である場合に、並列回路毎の電圧について前述のルドルフ・ヘイバーマンの特許による基準値を満足する平衡度を実現でき、循環電流を低減することができる。
【０２８８】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０２８９】
（第１８の実施の形態）（請求項５１，５２対応）
図１８は、本発明の第１８の実施形態における回転電機の電機子巻線の１相分を示す展開模式図である。
【０２９０】
図１８に示すように回転電機の電機子１１積層鉄心よりなる電機子鉄心１２に７２個のスロット１３を設けてあり、２極３相６並列回路の電機子巻線はスロット１３に２層に納められている。
【０２９１】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０２９２】
さらに、機子巻線は上下コイル片１５，１６を、電機子鉄心１２に設けられた１２個のスロット１３に納める第１の相帯１７と同じく１２個のスロット１３に納める第２の相帯１８とを有している。
【０２９３】
各相の電機子巻線は、それぞれ６つの並列回路を有しており、この各並列回路に図示したように○の中に１，２，３，４，５，６という回路番号をつけて識別している。
【０２９４】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０２９５】
図１８において、各相帯１７，１８の接続側コイルエンド１９ａに４本／相のジャンパ線２０ａを、反接続側コイルエンド１９ｂに１６本／相帯のジャンパ線２０ｂを設けることにより、相帯内の上下コイル片１５，１６の相対位置を極中心からの位置によって表した場合に、各並列回路の上下コイル片１５，１６の位置は表５１のようになる。
【表５１】
2010252438.tif 000053
【０２９６】
表５１に示すように、第１及び第４の並列回路の各４個の上下コイル片１５，１６を極中心から３，４，７，１２番目の位置にそれぞれ配置し、上記第２及び第５の並列回路の各４個の上下コイル片１５，１６については、極中心から２，５，８，１１番目の位置にそれぞれ配置し、上記第３及び第６の並列回路の各４個の上下コイル片１５，１６については極中心から１，６，９，１０番目の位置にそれぞれ配置している。
【０２９７】
これにより、第１の相帯１７における上下コイル片１５、１６の回路番号が極中心側から順に３，２，１，１，２，３，１，２，３，３，２，１となり、第２の相帯１８における上下コイル片１５、１６の回路番号が極中心側から順に６，５，４，４，５，６，４，５，６，６，５，４となる。
【０２９８】
表５２は本発明の第１８の実施形態における電機子巻線の発生電圧の平衡度を示すものである。ただし、本実施形態では平衡度は巻線ピッチによって変化するため、表５２では３０／３６（８３．３３％）の巻線ピッチの場合を示している。
【表５２】
2010252438.tif 000054
【０２９９】
本発明の第１８の実施形態の電機子巻線では、表５２に示すように電圧の大きさの偏差（ｐ．ｕ．電圧の１．０よりの偏差）は最大で０．２５％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０３００】
また、表５３は本発明の第１８の実施形態における巻線ピッチによる電圧の大きさの偏差、位相角の偏差の最大値の変化を示すものである。表に示さないものも含めて実用的な巻線ピッチの範囲内で、平衡度がルドルフ・ヘイバーマンの特許による基準値である、電圧の大きさの偏差で０．４％、位相角の偏差を０．１５度以内という基準を満足している。
【表５３】
2010252438.tif 000055
【０３０１】
以上のように本発明の第１８の実施形態においては実用的な巻線ピッチの範囲内において、並列回路毎の電圧について前述のルドルフ・ヘイバーマンの特許による基準値を満足する平衡度を実現でき、循環電流を低減することができる。
【０３０２】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０３０３】
（第１９の実施の形態）（請求項５３，５４，５５対応）
図１９は、本発明の第１９の実施形態における回転電機の電機子巻線の１相分を示す展開模式図である。
【０３０４】
図１９に示すように回転電機の電機子１１は、積層鉄心よりなる電機子鉄心１２に７２個のスロット１３を設けてあり、２極３相６並列回路の電機子巻線１４はスロット１３に２層に納められている。
【０３０５】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０３０６】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０３０７】
各相の電機子巻線はそれぞれ６つの並列回路を有しており、この各並列回路に図示したように○の中に１，２，３，４，５，６という回路番号をつけて識別している。
【０３０８】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０３０９】
図１９において、各相帯１７，１８の接続側コイルエンド１９ａに４本／相のジャンパ線２０ａを、反接続側コイルエンド１９ｂに１０本／相帯のジャンパ線２０ｂを設けることにより、相帯内の上下コイル片１５，１６の相対位置を極中心からの位置によって表した場合に、各並列回路の上下コイル片１５，１６の位置は表５４のようになる。
【表５４】
2010252438.tif 000056
【０３１０】
表５４に示すように第１及び第４の並列回路の各４個の上下コイル片１５，１６を極中心から１，７，９，１２番目の位置にそれぞれ配置し、上記第２及び第５の並列回路の各４個の上下コイル片１５，１６については、極中心から２，５，８，１１番目の位置にそれぞれ配置し、上記第３及び第６の並列回路の各４個の上下コイル片１５，１６については極中心から３，４，６，１０番目の位置にそれぞれ配置している。
【０３１１】
これにより、第１の相帯１７における上下コイル片１５、１６の回路番号が極中心側から順に１，２，３，３，２，３，１，２，１，３，２，１となり、第２の相帯１８における上下コイル片１５、１６の回路番号が極中心側から順に４，５，６，６，５，６，４，５，４，６，５，４となる。
【０３１２】
表５５は本発明の第１９の実施形態における電機子巻線の発生電圧の平衡度を示すものである。ただし、本実施形態では平衡度は巻線ピッチによって変化するため、表５５では３０／３６（８３．３３％）の巻線ピッチの場合を示している。
【表５５】
2010252438.tif 000057
【０３１３】
本発明の第１９の実施形態における電機子巻線では、表５５に示すように電圧の大きさの偏差（ｐ．ｕ．電圧の１．０よりの偏差）は最大で０．２５％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０３１４】
また、表５６は本発明の第１９の実施形態における巻線ピッチによる電圧の大きさの偏差、位相角の偏差の最大値の変化を示すものである。表より巻線ピッチが３０／３６または３１／３６である場合に、平衡度がルドルフ・ヘイバーマンの特許による基準値である、電圧の大きさの偏差で０．４％、位相角の偏差を０．１５度以内という基準を満足している。
【表５６】
2010252438.tif 000058
【０３１５】
以上のように本発明の第１９の実施形態においては、巻線ピッチが３０／３６または３１／３６である場合に、並列回路毎の電圧について前述のルドルフ・ヘイバーマンの特許による基準値を満足する平衡度を実現でき、循環電流を低減することができる。
【０３１６】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０３１７】
（第２０の実施の形態）（請求項５６，５７，５８対応）
図２０は、本発明の第２０の実施形態における回転電機の電機子巻線の１相分を示す展開模式図である。
【０３１８】
図２０に示すように回転電機の電機子１１は、積層鉄心よりなる電機子鉄心１２に７２個のスロット１３を設けてあり、２極３相６並列回路の電機子巻線はこれら各スロット１３に２層に納められている。
【０３１９】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０３２０】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０３２１】
各相の電機子巻線はそれぞれ６つの並列回路を有しており、この各並列回路に図示したように○の中に１，２，３，４，５，６という回路番号をつけて識別している。
【０３２２】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０３２３】
図２０において、各相帯１７，１８の接続側コイルエンド１９ａに４本／相のジャンパ線２０ａを、反接続側コイルエンド１９ｂに１４本／相のジャンパ線２０ｂを設けることにより、相帯内の上下コイル片１５，１６の相対位置を極中心からの位置によって表した場合に、各並列回路の上下コイル片１５，１６の位置は表５７のようになる。
【表５７】
2010252438.tif 000059
【０３２４】
表５７に示すように、第１及び第４の並列回路の各４個の上下コイル片１５，１６を極中心から１，７，１０，１２番目の位置にそれぞれ配置し、上記第２及び第５の並列回路の各４個の上下コイル片１５，１６については、極中心から２，５，８，１１番目の位置にそれぞれ配置し、上記第３及び第６の並列回路の各４個の上下コイル片１５，１６については極中心から３，４，６，９番目の位置にそれぞれ配置している。
【０３２５】
これにより、第１の相帯１７における上下コイル片１５、１６の回路番号が極中心側から順に１，２，３，３，２，３，１，２，３，１，２，１となり、第２の相帯１８における上下コイル片１５、１６の回路番号が極中心側から順に４，５，６，６，５，６，４，５，６，４，５，４となる。
【０３２６】
表５８は本発明の第２０の実施形態における電機子巻線の発生電圧の平衡度を示すものである。ただし、本実施形態では平衡度は巻線ピッチによって変化するため、表５８では３０／３６（８３．３３％）の巻線ピッチの場合を示している。
【表５８】
2010252438.tif 000060
【０３２７】
本発明の第２０の実施形態における電機子巻線では、表５８に示すように電圧の大きさの偏差（ｐ．ｕ．電圧の１．０よりの偏差）は最大で０．２５％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０３２８】
また、表５９は本発明の第２０の実施形態における巻線ピッチによる電圧の大きさの偏差、位相角の偏差の最大値の変化を示すものである。表より巻線ピッチが３０／３６の場合に限って、平衡度がルドルフ・ヘイバーマンの特許による基準値である、電圧の大きさの偏差で０．４％、位相角の偏差を０．１５度以内という基準を満足している。
【表５９】
2010252438.tif 000061
【０３２９】
以上のように本発明の第２０の実施形態においては、巻線ピッチが３０／３６の場合に限って、並列回路毎の電圧について前述のルドルフ・ヘイバーマンの特許による基準値を満足する平衡度を実現でき、循環電流を低減することができる。
【０３３０】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０３３１】
（第２１の実施の形態）（請求項５９，６０，６１対応）
図２１は、本発明の第２１の実施形態における回転電機の電機子巻線の１相分を示す展開模式図である。
【０３３２】
図２１に示すように回転電機の電機子１１は、積層鉄心よりなる電機子鉄心１２に７２個のスロット１３を設けてあり、２極３相６並列回路の電機子巻線はスロット１３に２層に納められている。
【０３３３】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０３３４】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０３３５】
各相の電機子巻線はそれぞれ６つの並列回路を有しており、この各並列回路に図示したように○の中に１，２，３，４，５，６という回路番号をつけて識別している。
【０３３６】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０３３７】
図２１において、各相帯１７，１８の接続側コイルエンド１９ａに８本／相のジャンパ線２０ａを、反接続側コイルエンド１９ｂに１４本／相帯のジャンパ線２０ｂを設けることにより、相帯内の上下コイル片１５，１６の相対位置を極中心からの位置によって表した場合に、各並列回路の上下コイル片１５，１６の位置は表６０のようになる。
【表６０】
2010252438.tif 000062
【０３３８】
表６０に示すように、第１及び第４の並列回路の各４個の上下コイル片１５，１６を極中心から１，８，９，１２番目の位置にそれぞれ配置し、上記第２及び第５の並列回路の各４個の上下コイル片１５，１６については、極中心から２，５，７，１１番目の位置にそれぞれ配置し、上記第３及び第６の並列回路の各４個の上下コイル片１５，１６については極中心から３，４，６，１０番目の位置にそれぞれ配置している。
【０３３９】
これにより、第１の相帯１７における上下コイル片１５、１６の回路番号が極中心側から順に１，２，３，３，２，３，２，１，１，３，２，１となり、第２の相帯１８における上下コイル片１５、１６の回路番号が極中心側から順に４，５，６，６，５，６，５，４，４，６，５，４となる。
【０３４０】
表６１は本発明の第２１の実施形態における電機子巻線の発生電圧の平衡度を示すものである。ただし、本実施形態では平衡度は巻線ピッチによって変化するため、表６１では３０／３６（８３．３３％）の巻線ピッチの場合を示している。
【表６１】
2010252438.tif 000063
【０３４１】
本発明の第２１の実施形態における電機子巻線では、表６１に示すように電圧の大きさの偏差（ｐ．ｕ．電圧の１．０よりの偏差）は最大で０．３６％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０３４２】
また、表６２は本発明の第２１の実施形態における巻線ピッチによる電圧の大きさの偏差、位相角の偏差の最大値の変化を示すものである。表より巻線ピッチが３０／３６または３１／３６の場合に、平衡度がルドルフ・ヘイバーマンの特許による基準値である、電圧の大きさの偏差で０．４％、位相角の偏差を０．１５度以内という基準を満足している。
【表６２】
2010252438.tif 000064
【０３４３】
以上のように本発明の第２１の実施形態においては、巻線ピッチが３０／３６または３１／３６の場合に、並列回路毎の電圧について前述のルドルフ・ヘイバーマンの特許による基準値を満足する平衡度を実現でき、循環電流を低減することができる。
【０３４４】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０３４５】
（第２２の実施の形態）（請求項６２，６３，６４対応）
図２２は、本発明の第２２の実施形態における回転電機の電機子巻線の１相分を示す展開模式図である。
【０３４６】
図２２に示すように回転電機の電機子１１は、積層鉄心よりなる電機子鉄心１２に７２個のスロット１３を設けてあり、２極３相６並列回路の電機子巻線はスロット１３に２層に納められている。
【０３４７】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０３４８】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０３４９】
各相の電機子巻線はそれぞれ６つの並列回路を有しており、この各並列回路に図示したように○の中に１，２，３，４，５，６という回路番号をつけて識別している。
【０３５０】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０３５１】
図２２において、各相帯１７，１８の接続側コイルエンド１９ａに６本／相のジャンパ線２０ａを、反接続側コイルエンド１９ｂに１４本／相帯のジャンパ線２０ｂを設けることにより、相帯内の上下コイル片１５，１６の相対位置を極中心からの位置によって表した場合に、各並列回路の上下コイル片１５，１６の位置は表６３のようになる。
【表６３】
2010252438.tif 000065
【０３５２】
表６３に示すように、第１及び第４の並列回路の各４個の上下コイル片１５，１６を極中心から１，８，１０，１２番目の位置にそれぞれ配置し、上記第２及び第５の並列回路の各４個の上下コイル片１５，１６については、極中心から２，５，７，１１番目の位置にそれぞれ配置し、上記第３及び第６の並列回路の各４個の上下コイル片１５，１６については極中心から３，４，６，９番目の位置にそれぞれ配置している。
【０３５３】
これにより、第１の相帯１７における上下コイル片１５、１６の回路番号が極中心側から順に１，２，３，３，２，３，２，１，３，１，２，１となり、第２の相帯１８における上下コイル片１５、１６の回路番号が極中心側から順に４，５，６，６，５，６，５，４，６，４，５，４となる。
【０３５４】
表６４は本発明の第２２の実施形態における電機子巻線の発生電圧の平衡度を示すものである。ただし、本実施形態では平衡度は巻線ピッチによって変化するため、表６４では３０／３６（８３．３３％）の巻線ピッチの場合を示している。
【表６４】
2010252438.tif 000066
【０３５５】
本発明の第２２の実施形態における電機子巻線では、表６４に示すように電圧の大きさの偏差（ｐ．ｕ．電圧の１．０よりの偏差）は最大で０．３６％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０３５６】
また、表６５は本発明の第２２の実施形態における巻線ピッチによる電圧の大きさの偏差、位相角の偏差の最大値の変化を示すものである。表より巻線ピッチが３０／３６または３１／３６の場合に、平衡度がルドルフ・ヘイバーマンの特許による基準値である、電圧の大きさの偏差で０．４％、位相角の偏差を０．１５度以内という基準を満足している。
【表６５】
2010252438.tif 000067
【０３５７】
以上のように本発明の第２２の実施形態においては、巻線ピッチが３０／３６または３１／３６の場合に、並列回路毎の電圧について前述のルドルフ・ヘイバーマンの特許による基準値を満足する平衡度を実現でき、循環電流を低減することができる。
【０３５８】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０３５９】
（第２３の実施の形態）（請求項６５，６６，６７対応）
図２３は、本発明の第２３の実施形態における回転電機の電機子巻線の１相分を示す展開模式図である。
【０３６０】
図２３に示すように回転電機の電機子１１は、積層鉄心よりなる電機子鉄心１２に７２個のスロット１３を設けてあり、２極３相６並列回路の電機子巻線はスロット１３に２層に納められている。
【０３６１】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０３６２】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０３６３】
各相の電機子巻線はそれぞれ６つの並列回路を有しており、この各並列回路に図示したように○の中に１，２，３，４，５，６という回路番号をつけて識別している。
【０３６４】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０３６５】
図２３において、各相帯１７，１８の接続側コイルエンド１９ａに４本／相のジャンパ線２０ａを、反接続側コイルエンド１９ｂに１４本／相帯のジャンパ線２０ｂを設けることにより、相帯内の上下コイル片１５，１６の相対位置を極中心からの位置によって表した場合に、各並列回路の上下コイル片１５，１６の位置は表６６のようになる。
【表６６】
2010252438.tif 000068
【０３６６】
表６６に示すように第１及び第４の並列回路の各４個の上下コイル片１５，１６を極中心から１，９，１１，１２番目の位置にそれぞれ配置し、上記第２及び第５の並列回路の各４個の上下コイル片１５，１６については、極中心から３，４，６，１０番目の位置にそれぞれ配置し、上記第３及び第６の並列回路の各４個の上下コイル片１５，１６については極中心から２，５，７，８番目の位置にそれぞれ配置している。
【０３６７】
これにより、第１の相帯１７における上下コイル片１５、１６の回路番号が極中心側から順に１，３，２，２，３，２，３，３，１，２，１，１となり、第２の相帯１８における上下コイル片１５、１６の回路番号が極中心側から順に４，６，５，５，６，５，６，６，４，５，４，４となる。
【０３６８】
表６７は本発明の第２３の実施形態における電機子巻線の発生電圧の平衡度を示すものである。ただし、本実施形態では平衡度は巻線ピッチによって変化するため、表６７では３０／３６（８３．３３％）の巻線ピッチの場合を示している。
【表６７】
2010252438.tif 000069
【０３６９】
表６７に示すように本発明の第２３の実施形態における電機子巻線では、電圧の大きさの偏差（ｐ．ｕ．電圧の１．０よりの偏差）は最大で０．３６％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０３７０】
また、表６８は本発明の第２３の実施形態における巻線ピッチによる電圧の大きさの偏差、位相角の偏差の最大値の変化を示すものである。表より巻線ピッチが０／３６または３１／３６の場合に、平衡度がルドルフ・ヘイバーマンの特許による基準値である、電圧の大きさの偏差で０．４％、位相角の偏差を０．１５度以内という基準を満足している。
【表６８】
2010252438.tif 000070
【０３７１】
以上のように本発明の第２３の実施形態においては、巻線ピッチが０／３６または３１／３６の場合に、並列回路毎の電圧について前述のルドルフ・ヘイバーマンの特許による基準値を満足する平衡度を実現でき、循環電流を低減することができる。
【０３７２】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０３７３】
（第２４の実施の形態）（請求項６８，６９，７０対応）
図２４は、本発明の第２４の実施形態における回転電機の電機子巻線の１相分を示す展開模式図である。
【０３７４】
図２４に示すように回転電機の電機子１１は、積層鉄心よりなる電機子鉄心１２に７２個のスロット１３を設けてあり、２極３相６並列回路の電機子巻線はスロット１３に２層に納められている。
【０３７５】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０３７６】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０３７７】
各相の電機子巻線はそれぞれ６つの並列回路を有しており、この各並列回路に図示したように○の中に１，２，３，４，５，６という回路番号をつけて識別している。
【０３７８】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０３７９】
図２４において、各相帯１７，１８の接続側コイルエンド１９ａに８本／相のジャンパ線２０ａを、反接続側コイルエンド１９ｂに１４本／相のジャンパ線２０ｂを設けることにより、相帯内の上下コイル片１５，１６の相対位置を極中心からの位置によって表した場合に、各並列回路の上下コイル片１５，１６の位置は表６９のようになる。
【表６９】
2010252438.tif 000071
【０３８０】
表６９に示すように、第１及び第４の並列回路の各４個の上下コイル片１５，１６を極中心から２，５，１１，１２番目の位置にそれぞれ配置し、上記第２及び第５の並列回路の各４個の上下コイル片１５，１６については、極中心から３，４，６，１０番目の位置にそれぞれ配置し、上記第３及び第６の並列回路の各４個の上下コイル片１５，１６については極中心から１，７，８，９番目の位置にそれぞれ配置している。
【０３８１】
これにより、第１の相帯１７における上下コイル片１５、１６の回路番号が極中心側から順に３，１，２，２，１，２，３，３，３，２，１，１となり、第２の相帯１８における上下コイル片１５、１６の回路番号が極中心側から順に６，４，５，５，４，５，６，６，６，５，４，４となる。
【０３８２】
表７０は本発明の第２４の実施形態における電機子巻線の発生電圧の平衡度を示すものである。ただし、本実施形態では平衡度は巻線ピッチによって変化するため、表７０では３０／３６（８３．３３％）の巻線ピッチの場合を示している。
【表７０】
2010252438.tif 000072
【０３８３】
本発明の第２４の実施形態における電機子巻線では、表７０に示すように電圧の大きさの偏差（ｐ．ｕ．電圧の１．０よりの偏差）は最大で０．３６％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０３８４】
また、表７１は本発明の第２４の実施形態における巻線ピッチによる電圧の大きさの偏差、位相角の偏差の最大値の変化を示す。表より巻線ピッチが３０／３６の場合に限って、平衡度がルドルフ・ヘイバーマンの特許による基準値である、電圧の大きさの偏差で０．４％、位相角の偏差を０．１５度以内という基準を満足している。
【表７１】
2010252438.tif 000073
【０３８５】
以上のように本発明の第２４の実施形態においては、巻線ピッチが３０／３６の場合に限って、並列回路毎の電圧について前述のルドルフ・ヘイバーマンの特許による基準値を満足する平衡度を実現でき、循環電流を低減することができる。
【０３８６】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０３８７】
（第２５の実施の形態）（請求項７１，７２，７３対応）
図２５は、本発明の第２５の実施形態における回転電機の電機子巻線の１相分を示す展開模式図である。
【０３８８】
図２５に示すように回転電機の電機子１１は、積層鉄心よりなる電機子鉄心１２に７２個のスロット１３を設けてあり、２極３相６並列回路の電機子巻線はスロット１３に２層に納められている。
【０３８９】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０３９０】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０３９１】
各相の電機子巻線はそれぞれ６つの並列回路を有しており、この各並列回路に図示したように○の中に１，２，３，４，５，６という回路番号をつけて識別している。
【０３９２】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０３９３】
図２５において、各相帯１７，１８の接続側コイルエンド１９ａに６本／相のジャンパ線２０ａを、反接続側コイルエンド１９ｂに１４本／相帯のジャンパ線２０ｂを設けることにより、相帯内の上下コイル片１５，１６の相対位置を極中心からの位置によって表した場合に、各並列回路の上下コイル片１５，１６の位置は表７２のようになる。
【表７２】
2010252438.tif 000074
【０３９４】
表７２に示すように、第１及び第４の並列回路の各４個の上下コイル片１５，１６を極中心から１，１０，１１，１２番目の位置にそれぞれ配置し、上記第２及び第５の並列回路の各４個の上下コイル片１５，１６については、極中心から３，４，６，９番目の位置にそれぞれ配置し、上記第３及び第６の並列回路の各４個の上下コイル片１５，１６については極中心から２，５，７，８番目の位置にそれぞれ配置している。
【０３９５】
これにより、第１の相帯１７における上下コイル片１５、１６の回路番号が極中心側から順に１，３，２，２，３，２，３，３，２，１，１，１となり、第２の相帯１８における上下コイル片１５、１６の回路番号が極中心側から順に４，６，５，５，６，５，６，６，５，４，４，４となる。
【０３９６】
表７３は本発明の第２５の実施形態における電機子巻線の発生電圧の平衡度を示すものである。ただし、本実施形態では平衡度は巻線ピッチによって変化するため、表７３では３０／３６（８３．３３％）の巻線ピッチの場合を示している。
【表７３】
2010252438.tif 000075
【０３９７】
本発明の第２５の実施形態の電機子巻線では、表７３に示すように電圧の大きさの偏差（ｐ．ｕ．電圧の１．０よりの偏差）は最大で０．３６％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０３９８】
また、表７４は本発明の第２５の実施形態の巻線ピッチによる電圧の大きさの偏差、位相角の偏差の最大値の変化を示すものである。表より巻線ピッチが３０／３６の場合に限って、平衡度がルドルフ・ヘイバーマンの特許による基準値である、電圧の大きさの偏差で０．４％、位相角の偏差を０．１５度以内という基準を満足している。
【表７４】
2010252438.tif 000076
【０３９９】
以上のように本発明の第２５の実施形態においては、巻線ピッチが３０／３６の場合に限って、並列回路毎の電圧について前述のルドルフ・ヘイバーマンの特許による基準値を満足する平衡度を実現でき、循環電流を低減することができる。
【０４００】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０４０１】
（第２６の実施の形態）（請求項７４，７５，７６対応）
図２６は、本発明の第２６の実施形態における回転電機の電機子巻線の１相分を示す展開模式図である。
【０４０２】
図２６に示すように回転電機の電機子１１は、積層鉄心よりなる電機子鉄心１２に７２個のスロット１３を設けてあり、２極３相６並列回路の電機子巻線はスロット１３に２層に納められている。
【０４０３】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０４０４】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０４０５】
各相の電機子巻線はそれぞれ６つの並列回路を有しており、この各並列回路に図示したように○の中に１，２，３，４，５，６という回路番号をつけて識別している。
【０４０６】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０４０７】
図２６において、各相帯１７，１８の接続側コイルエンド１９ａに４本／相のジャンパ線２０ａを、反接続側コイルエンド１９ｂに１４本／相のジャンパ線２０ｂを設けることにより、相帯内の上下コイル片１５，１６の相対位置を極中心からの位置によって表した場合に、各並列回路の上下コイル片１５，１６の位置は表７５のようになる。
【表７５】
2010252438.tif 000077
【０４０８】
表７５に示すように、第１及び第４の並列回路の各４個の上下コイル片１５，１６を極中心から２，５，８，１２番目の位置にそれぞれ配置し、上記第２及び第５の並列回路の各４個の上下コイル片１５，１６については、極中心から１，７，９，１１番目の位置にそれぞれ配置し、上記第３及び第６の並列回路の各４個の上下コイル片１５，１６については極中心から３，４，６，１０番目の位置にそれぞれ配置している。
【０４０９】
これにより、第１の相帯１７における上下コイル片１５、１６の回路番号が極中心側から順に２，１，３，３，１，３，２，１，２，３，２，１となり、第２の相帯１８における上下コイル片１５、１６の回路番号が極中心側から順に５，４，６，６，４，６，５，４，５，６，５，４となる。
【０４１０】
表７６は本発明の第２６の実施形態における電機子巻線の発生電圧の平衡度を示すものである。ただし、本実施形態では平衡度は巻線ピッチによって変化するため、表７６では３０／３６（８３．３３％）の巻線ピッチの場合を示している。
【表７６】
2010252438.tif 000078
【０４１１】
本発明の第２６の実施形態における電機子巻線では、表７６に示すように電圧の大きさの偏差（ｐ．ｕ．電圧の１．０よりの偏差）は最大で０．３６％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０４１２】
また、表７７は本発明の第２６の実施形態における巻線ピッチによる電圧の大きさの偏差、位相角の偏差の最大値の変化を示すものである。表より巻線ピッチが３０／３６または３１／３６の場合に、平衡度がルドルフ・ヘイバーマンの特許による基準値である、電圧の大きさの偏差で０．４％、位相角の偏差を０．１５度以内という基準を満足している。
【表７７】
2010252438.tif 000079
【０４１３】
以上のように本発明の第２６の実施形態においては、巻線ピッチが３０／３６または３１／３６の場合に、並列回路毎の電圧について前述のルドルフ・ヘイバーマンの特許による基準値を満足する平衡度を実現でき、循環電流を低減することができる。
【０４１４】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０４１５】
（第２７の実施の形態）（請求項７７，７８，７９対応）
図２７は、本発明の第２７の実施形態における回転電機の電機子巻線の１相分を示す展開模式図である。
【０４１６】
図２７に示すように回転電機の電機子１１は、積層鉄心よりなる電機子鉄心１２に７２個のスロット１３を設けてあり、２極３相６並列回路の電機子巻線はスロット１３に２層に納められている。
【０４１７】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０４１８】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０４１９】
各相の電機子巻線はそれぞれ６つの並列回路を有しており、この各並列回路に図示したように○の中に１，２，３，４，５，６という回路番号をつけて識別している。
【０４２０】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０４２１】
図２７において、各相帯１７，１８の接続側コイルエンド１９ａに１０本／相のジャンパ線２０ａを、反接続側コイルエンド１９ｂに１８本／相のジャンパ線２０ｂを設けることにより、相帯内の上下コイル片１５，１６の相対位置を極中心からの位置によって表した場合に、各並列回路の上下コイル片１５，１６の位置は表７８のようになる。
【表７８】
2010252438.tif 000080
【０４２２】
表７８に示すように第１及び第４の並列回路の各４個の上下コイル片１５，１６を極中心から２，５，１１，１２番目の位置にそれぞれ配置し、上記第２及び第５の並列回路の各４個の上下コイル片１５，１６については、極中心から１，７，８，１０番目の位置にそれぞれ配置し、上記第３及び第６の並列回路の各４個の上下コイル片１５，１６については極中心から３，４，６，９番目の位置にそれぞれ配置している。
【０４２３】
これにより、第１の相帯１７における上下コイル片１５、１６の回路番号が極中心側から順に２，１，３，３，１，３，２，２，３，２，１，１となり、第２の相帯１８における上下コイル片１５、１６の回路番号が極中心側から順に５，４，６，６，４，６，５，５，６，５，４，４となる。
【０４２４】
表７９に本発明の第２７の実施形態における電機子巻線の発生電圧の平衡度を示すものである。ただし、本実施形態では平衡度は巻線ピッチによって変化するため、表７９では３０／３６（８３．３３％）の巻線ピッチの場合を示している。
【表７９】
2010252438.tif 000081
【０４２５】
本発明の第２７の実施形態における電機子巻線では、表７９に示すように電圧の大きさの偏差（ｐ．ｕ．電圧の１．０よりの偏差）は最大で０．３６％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０４２６】
また、表８０は本発明の第２７の実施形態における巻線ピッチによる電圧の大きさの偏差、位相角の偏差の最大値の変化を示すものである。表より巻線ピッチが３０／３６の場合に限って、平衡度がルドルフ・ヘイバーマンの特許による基準値である、電圧の大きさの偏差で０．４％、位相角の偏差を０．１５度以内という基準を満足している。
【表８０】
2010252438.tif 000082
【０４２７】
以上のように本発明の第２７の実施形態においては、巻線ピッチが３０／３６の場合に限って、並列回路毎の電圧について前述のルドルフ・ヘイバーマンの特許による基準値を満足する平衡度を実現でき、循環電流を低減することができる。
【０４２８】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０４２９】
（第２８の実施の形態）（請求項８０，８１，８２対応）
図２８は、本発明の第２８の実施形態における回転電機の電機子巻線の１相分を示す展開模式図である。
【０４３０】
図２８に示すように回転電機の電機子１１は、積層鉄心よりなる電機子鉄心１２に７２個のスロット１３を設けてあり、２極３相６並列回路の電機子巻線はスロット１３に２層に納められている。
【０４３１】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０４３２】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０４３３】
各相の電機子巻線はそれぞれ６つの並列回路を有しており、この各並列回路に図示したように○の中に１，２，３，４，５，６という回路番号をつけて識別している。
【０４３４】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０４３５】
図２８において、各相帯１７，１８の接続側コイルエンド１９ａに８本／相のジャンパ線２０ａを、反接続側コイルエンド１９ｂに１６本／相のジャンパ線２０ｂを設けることにより、相帯内の上下コイル片１５，１６の相対位置を極中心からの位置によって表した場合に、各並列回路の上下コイル片１５，１６の位置は表８１のようになる。
【表８１】
2010252438.tif 000083
【０４３６】
表８１に示すように、第１及び第４の並列回路の各４個の上下コイル片１５，１６を極中心から２，５，８，１２番目の位置にそれぞれ配置し、上記第２及び第５の並列回路の各４個の上下コイル片１５，１６については、極中心から１，７，１０，１１番目の位置にそれぞれ配置し、上記第３及び第６の並列回路の各４個の上下コイル片１５，１６については極中心から３，４，６，９番目の位置にそれぞれ配置している。
【０４３７】
これにより、第１の相帯１７における上下コイル片１５、１６の回路番号が極中心側から順に２，１，３，３，１，３，２，１，３，２，２，１となり、第２の相帯１８における上下コイル片１５、１６の回路番号が極中心側から順に５，４，６，６，４，６，５，４，６，５，５，４となる。
【０４３８】
表８２は本発明の第２８の実施形態における電機子巻線の発生電圧の平衡度を示すものである。ただし、本実施形態では平衡度は巻線ピッチによって変化するため、表８２では３０／３６（８３．３３％）の巻線ピッチの場合を示している。
【表８２】
2010252438.tif 000084
【０４３９】
表８２に示すように本発明の第２８の実施形態における電機子巻線では、電圧の大きさの偏差（ｐ．ｕ．電圧の１．０よりの偏差）は最大で０．３６％、位相角の偏差が０．００度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０４４０】
また、表８３は本発明の第２８の実施形態における巻線ピッチによる電圧の大きさの偏差、位相角の偏差の最大値の変化を示すものである。表より巻線ピッチが３０／３６または３１／３６の場合に、平衡度がルドルフ・ヘイバーマンの特許による基準値である、電圧の大きさの偏差で０．４％、位相角の偏差を０．１５度以内という基準を満足している。
【表８３】
2010252438.tif 000085
【０４４１】
以上のように本発明の第２８の実施形態においては、巻線ピッチが３０／３６または３１／３６の場合に、並列回路毎の電圧について前述のルドルフ・ヘイバーマンの特許による基準値を満足する平衡度を実現でき、循環電流を低減することができる。
【０４４２】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【０４４３】
（第２９の実施の形態）（請求項８３，８４対応）
図２９は、本発明の第２９の実施形態における回転電機の電機子巻線の１相分を示す展開模式図である。
【０４４４】
図２９に示すように回転電機の電機子１１は、積層鉄心よりなる電機子鉄心１２に７２個のスロット１３を設けてあり、２極３相６並列回路の電機子巻線はスロット１３に２層に納められている。
【０４４５】
各相の電機子巻線は、スロット内の上部に納められる上コイル片１５と、スロット内の下部に納められる下コイル片１６とを有し、これら上下コイル片１５，１６の端部同士を巻線口出し部に接続される接続側コイルエンド１９ａと、その軸方向反対側で巻線口出し部に接続されない反接続側コイルエンド１９ｂにおいてそれぞれ直列に接続して構成されている。
【０４４６】
さらに、電機子巻線は上下コイル片１５，１６を、電機子鉄心１２に設けられた１２個のスロット１３に納める第１の相帯１７と同じく１２個のスロット１３に納める第２の相帯１８とを有している。
【０４４７】
各相の電機子巻線はそれぞれ６つの並列回路を有しており、この各並列回路に図示したように○の中に１，２，３，４，５，６という回路番号をつけて識別している。
【０４４８】
各相帯１７，１８の上コイル片１５は、接続側および反接続側のコイルエンド１９ａ，１９ｂで所定のコイルピッチだけ離れた位置にある対応する下コイル片１６と接続されて６つの並列回路をなし、各回路は接続側コイルエンド１９ａに設けられる口出し導体２１を介して並列接続されて電機子巻線を形成している。
【０４４９】
図２９において、各相帯１７，１８の接続側コイルエンド１９ａに６本／相のジャンパ線２０ａを、反接続側コイルエンド１９ｂに１６本／相のジャンパ線２０ｂを設けることにより、相帯内の上下コイル片１５，１６の相対位置を極中心からの位置によって表した場合に、各並列回路の上下コイル片１５，１６の位置は表８４のようになる。
【表８４】
2010252438.tif 000086
【０４５０】
表８４に示すように、第１及び第４の並列回路の４個の上コイル片１５を極中心から２，５，７，１２番目の位置に、４個の下コイル片１６を極中心から１，６，９，１０番目の位置にそれぞれ配置し、上記第２及び第５の並列回路の４個の上コイル片１５については、極中心から３，４，８，１１番目の位置に、４個の下コイル片１６については極中心から３，４，７，１２番目の位置にそれぞれ配置し、上記第３及び第６の並列回路の４個の上コイル片１５については極中心から１，６，９，１０番目の位置に、４個の下コイル片１６については極中心から２，５，８，１１番目の位置にそれぞれ配置している。
【０４５１】
これにより、第１の相帯１７における上コイル片１５の回路番号が極中心側から順に３，１，２，２，１，３，１，２，３，３，２，１で下コイル片１６の回路番号が極中心側から順に１,３、２，２，３，１，２，３，１，１，３，２となり、第２の相帯１８における上コイル片１５の回路番号が極中心側から順に６，４，５，５，４，６，６，４，５，６，５，４となり、下コイル片１６の回路番号が極中心側から順に４，６，５，５，６，４，５，６，４，４，６，５となる。
【０４５２】
表８５は本発明の第２９の実施形態における電機子巻線の発生電圧の平衡度を示すものである。ただし、本実施形態では平衡度は巻線ピッチによって変化するため、表８５では３０／３６（８３．３３％）の巻線ピッチの場合を示している。
【表８５】
2010252438.tif 000087
【０４５３】
本発明の第２９の実施形態における電機子巻線では、表８５に示すように電圧の大きさの偏差（ｐ．ｕ．電圧の１．０よりの偏差）は最大で０．３１％、位相角の偏差が０．１２度と、ルドルフ・ヘイバーマンの特許による基準値である、電圧の大きさの偏差で０．４％、位相角の偏差を０．１５度以内という基準を満足し、また第１の実施形態を上回る電圧平衡度を実現していることがわかる。
【０４５４】
また、表８６は本発明の第２９の実施形態における巻線ピッチによる電圧の大きさの偏差、位相角の偏差の最大値の変化を示す。表に示さないものも含めて実用的な巻線ピッチの範囲内で、平衡度がルドルフ・ヘイバーマンの特許による基準値である、電圧の大きさの偏差で０．４％、位相角の偏差を０．１５度以内という基準を満足している。
【表８６】
2010252438.tif 000088
【０４５５】
以上のように本発明の第２９の実施形態においては、実用的な巻線ピッチの範囲内において、並列回路毎の電圧について前述のルドルフ・ヘイバーマンの特許による基準値を満足する平衡度を実現でき、循環電流を低減することができる。
【０４５６】
なお、本実施形態は図示した構成に限らず、口出し位置を図示したものと違う位置に配置したり、例えば並列回路１と並列回路４の電気的に等価な位置にあるコイル片を入れ替えたりしても成立つことはもちろんである。
【符号の説明】
【０４５７】
１１…電機子、１２…電機子鉄心、１３…スロット、１５…上コイル片、１５ａ…第１の相帯の上コイル片、１５ｂ…第２の相帯の上コイル片、１６…下コイル片、１６ａ…第１の相帯の下コイル片、１６ｂ…第２の相帯の下コイル片、１７…第１の相帯、１８…第２の相帯、１９ａ…接続側コイルエンド、１９ｂ…反接続側コイルエンド、２０ａ…接続側のジャンパ線、２０ｂ…反接続側のジャンパ線、２１…口出し導体
【図１】
2010252438.tif 000089
【図２】
2010252438.tif 000090
【図３】
2010252438.tif 000091
【図４】
2010252438.tif 000092
【図５】
2010252438.tif 000093
【図６】
2010252438.tif 000094
【図７】
2010252438.tif 000095
【図８】
2010252438.tif 000096
【図９】
2010252438.tif 000097
【図１０】
2010252438.tif 000098
【図１１】
2010252438.tif 000099
【図１２】
2010252438.tif 000100
【図１３】
2010252438.tif 000101
【図１４】
2010252438.tif 000102
【図１５】
2010252438.tif 000103
【図１６】
2010252438.tif 000104
【図１７】
2010252438.tif 000105
【図１８】
2010252438.tif 000106
【図１９】
2010252438.tif 000107
【図２０】
2010252438.tif 000108
【図２１】
2010252438.tif 000109
【図２２】
2010252438.tif 000110
【図２３】
2010252438.tif 000111
【図２４】
2010252438.tif 000112
【図２５】
2010252438.tif 000113
【図２６】
2010252438.tif 000114
【図２７】
2010252438.tif 000115
【図２８】
2010252438.tif 000116
【図２９】
2010252438.tif 000117
【図３０】
2010252438.tif 000118